(57)【特許請求の範囲】
【請求項１】
無線通信システムにおいて上りリンクチャネルを送信する方法であって、前記方法は端末により行われ、
複数のサービングセル上で同時に送信される、異なる長さの送信時間間隔(ｔｒａｎｓｍｉｓｓｉｏｎ ｔｉｍｅ ｉｎｔｅｒｖａｌ；ＴＴＩ)の複数の上りリンクチャネルの送信電力が前記端末の最大電力を超えるか否かを判断する段階と、
前記複数の上りリンクチャネルの送信電力が前記端末の最大電力を超えると判断された場合、所定の優先順位規則に基づいて、前記複数の上りリンクチャネルの少なくとも一つをドロップすることにより、前記複数の上りリンクチャネルに関連した上りリンク送信を実行する段階とを含み、
前記端末は、優先順位の低い順の上りリンクチャネルからドロップすることを開始し、
前記端末により送信される上りリンクチャネルの送信電力が前記端末の前記最大電力を超えなくなるまで、前記端末は、ドロップすることを実行し、
前記端末はプライマリＰＵＣＣＨ(ｐｈｙｓｉｃａｌ ｕｐｌｉｎｋ ｃｏｎｔｒｏｌ Ｃｈａｎｎｅｌ)グループとセコンダリＰＵＣＣＨグループにより設定され、
前記プライマリＰＵＣＣＨグループと前記セコンダリＰＵＣＣＨグループのそれぞれは、一つ以上のサービングセルを含み、
ドロップされた上りリンクチャネルの上りリンク制御情報は、前記ドロップされた上りリンクチャネルの属するＰＵＣＣＨグループにおいて最も優先順位の高い上りリンクチャネルで送信される、方法。
【請求項２】
前記所定の優先順位規則は、ＴＴＩ長さ、チャネル類型、上りリンク制御情報を含むか否か及びＤＭＲＳ(ｄｅｍｏｄｕｌａｔｉｏｎ ｒｅｆｅｒｅｎｃｅ ｓｉｇｎａｌ)を含むか否かの少なくとも一つを考慮して定義される、請求項１に記載の方法。
【請求項３】
前記所定の優先順位規則は、さらにセルインデックスを考慮して定義される、請求項２に記載の方法。
【請求項４】
前記所定の優先順位規則は、さらにＰＵＣＣＨ(ｐｈｙｓｉｃａｌ ｕｐｌｉｎｋ ｃｏｎｔｒｏｌ Ｃｈａｎｎｅｌ)グループを考慮して定義され、
前記所定の優先順位規則は、前記プライマリＰＵＣＣＨグループに属する上りリンクチャネルが前記セコンダリＰＵＣＣＨグループに属する上りリンクチャネルより高い優先順位を有するように定義される、請求項３に記載の方法。
【請求項５】
前記所定の優先順位規則は、（ａ）短いＴＴＩ長さの上りリンクチャネルが長いＴＴＩ長さの上りリンクチャネルより高い優先順位を有し、（ｂ）上りリンク制御情報を備える上りリンクチャネルが上りリンク制御情報を備えない上りリンクチャネルより高い優先順位を有し、（ｃ）ＤＭＲＳを備えた上りリンクチャネルがＤＭＲＳを備えない上りリンクチャネルより高い優先順位を有するように定義される、請求項３または４に記載の方法。
【請求項６】
端末であって、
受信機及び送信機と、
前記受信機及び送信機を制御するプロセッサを含み、
前記プロセッサは、複数のサービングセル上で同時に送信される、異なる長さの送信時間間隔(ｔｒａｎｓｍｉｓｓｉｏｎ ｔｉｍｅ ｉｎｔｅｒｖａｌ；ＴＴＩ)の複数の上りリンクチャネルの送信電力が前記端末の最大電力を超えるか否かを判断し、
前記複数の上りリンクチャネルの送信電力が前記端末の最大電力を超えると判断された場合、所定の優先順位規則に基づいて、前記複数の上りリンクチャネルの少なくとも一つをドロップすることにより、前記複数の上りリンクチャネルに関連した上りリンク送信を実行し、
前記プロセッサは、優先順位の低い順の上りリンクチャネルからドロップすることを開始し、
前記プロセッサは、送信される上りリンクチャネルの送信電力が前記端末の前記最大電力を超えなくなるまで、ドロップすることを実行し、
前記プロセッサは、プライマリＰＵＣＣＨ(ｐｈｙｓｉｃａｌ ｕｐｌｉｎｋ ｃｏｎｔｒｏｌ Ｃｈａｎｎｅｌ)グループとセコンダリＰＵＣＣＨグループにより設定され、
前記プライマリＰＵＣＣＨグループと前記セコンダリＰＵＣＣＨグループのそれぞれは、一つ以上のサービングセルを含み、
ドロップされた上りリンクチャネルの上りリンク制御情報は、前記ドロップされた上りリンクチャネルの属するＰＵＣＣＨグループにおいて最も優先順位の高い上りリンクチャネルで送信される、端末。
【請求項７】
前記所定の優先順位規則は、ＴＴＩ長さ、チャネル類型、上りリンク制御情報を含むか否か、及びＤＭＲＳ(ｄｅｍｏｄｕｌａｔｉｏｎ ｒｅｆｅｒｅｎｃｅ ｓｉｇｎａｌ)を含むか否かの少なくとも一つを考慮して定義される、請求項６に記載の端末。
【請求項８】
前記所定の優先順位規則は、さらにセルインデックスを考慮して定義される、請求項７に記載の端末。
【請求項９】
前記所定の優先順位規則は、さらにＰＵＣＣＨ(ｐｈｙｓｉｃａｌ ｕｐｌｉｎｋ ｃｏｎｔｒｏｌ Ｃｈａｎｎｅｌ)グループを考慮して定義され、
前記所定の優先順位規則は、前記プライマリＰＵＣＣＨグループに属する上りリンクチャネルが前記セコンダリＰＵＣＣＨグループに属する上りリンクチャネルより高い優先順位を有するように定義される、請求項８に記載の端末。
【請求項１０】
前記所定の優先順位規則は、（ａ）短いＴＴＩ長さの上りリンクチャネルが長いＴＴＩ長さの上りリンクチャネルより高い優先順位を有し、（ｂ）上りリンク制御情報を備える上りリンクチャネルが上りリンク制御情報を備えない上りリンクチャネルより高い優先順位を有し、（ｃ）ＤＭＲＳを備えた上りリンクチャネルがＤＭＲＳを備えない上りリンクチャネルより高い優先順位を有するように定義される、請求項８又は９に記載の端末。
【発明の詳細な説明】
【技術分野】
【０００１】
本発明は無線通信システムに関し、より具体的には、複数の送信時間間隔、複数のプロセシング時間又は複数のニューマロロジーなどを支援する上りリンク信号の送信方法及びそのための装置に関する。
【背景技術】
【０００２】
パケットデータの遅延(ｌａｔｅｎｃｙ)は重要な性能メートル(ｍｅｔｒｉｃ)の１つであり、これを減らして、より早いインターネットアクセスを最終ユーザ(ｅｎｄ ｕｓｅｒ)に提供することは、ＬＥＴのみならず、次世代移動通信システム、いわゆる新ラット(ｎｅｗ ＲＡＴ)の設計においても重要な課題の１つといえる。
【０００３】
本発明は、かかる遅延の減少を支援する無線通信システムにおける上りリンク信号送信又は受信方案に関する。
【発明の概要】
【発明が解決しようとする課題】
【０００４】
本発明は、搬送波併合システムにおける複数の送信時間間隔、複数のプロセシング時間又は複数のニューマロロジーなどを有する端末の上りリンク信号送信動作に関する。
【０００５】
本発明で遂げようとする技術的課題は以上で言及した事項に限定されず、言及していない別の技術的課題は、以下に説明する本発明の実施例から、本発明の属する技術の分野における通常の知識を有する者に明確に理解されるであろう。
【課題を解決するための手段】
【０００６】
本発明の一実施例による無線通信システムにおいて、上りリンク信号を送信する方法であって、この方法は端末により行われ、複数のサービングセル上で同時送信される、互いに異なる長さの送信時間間隔(ｔｒａｎｓｍｉｓｓｉｏｎ ｔｉｍｅ ｉｎｔｅｒｖａｌ；ＴＴＩ)の複数の上りリンクチャネルの送信電力が端末の最大電力を超えるか否かを判断する段階及び複数の上りリンクチャネルの送信電力が端末の最大電力を超えると、複数の上りリンクチャネルのうち、所定の優先順位規則に従って決定された上りリンクチャネルを除いた、上りリンクチャネルを送信する段階を含む。
【０００７】
さらに又はその代わりに、複数の上りリンクチャネルの送信電力が端末の最大電力を超えない時まで、複数の上りリンクチャネルのうち、低い優先順位の上りリンクチャネルから順にドロップすることができる。
【０００８】
さらに又はその代わりに、所定の優先順位規則は、ＴＴＩ長さ、チャネル類型、上りリンク制御情報を含むか否か及びＤＭＲＳ(ｄｅｍｏｄｕｌａｔｉｏｎ ｒｅｆｅｒｅｎｃｅ ｓｉｇｎａｌ)を含むか否かを考慮して定義される。
【０００９】
さらに又はその代わりに、所定の優先順位規則は、さらにセルインデックスを考慮して定義される。
【００１０】
さらに又はその代わりに、所定の優先順位規則は、さらにセル又はＰＵＣＣＨ(ｐｈｙｓｉｃａｌ ｕｐｌｉｎｋ ｃｏｎｔｒｏｌ Ｃｈａｎｎｅｌ)グループを考慮して定義される。
【００１１】
さらに又はその代わりに、所定の優先順位規則に従って決定された除外される上りリンクチャネルの上り制御情報は、除外される上りリンクチャネルが属するセルグループ又はＰＵＣＣＨ(ｐｈｙｓｉｃａｌ ｕｐｌｉｎｋ ｃｏｎｔｒｏｌ Ｃｈａｎｎｅｌ)グループの最高優先順位の上りリンクチャネルで送信される。
【００１２】
さらに又はその代わりに、所定の優先順位規則は、ＴＴＩ長さ、チャネル類型、上りリンク制御情報を含むか否か及びＤＭＲＳ(ｄｅｍｏｄｕｌａｔｉｏｎ ｒｅｆｅｒｅｎｃｅ ｓｉｇｎａｌ)を含むか否か、セルインデックスを考慮して定義される。
【００１３】
本発明の他の一実施例による無線通信システムにおいて、上りリンク信号を送信する端末であって、該端末は受信機及び送信機;及び受信機及び送信機を制御するプロセッサーを含み、該プロセッサーは、複数のサービングセル上で同時送信される、互いに異なる長さの送信時間間隔(ｔｒａｎｓｍｉｓｓｉｏｎ ｔｉｍｅ ｉｎｔｅｒｖａｌ；ＴＴＩ)の複数の上りリンクチャネルの送信電力が端末の最大電力を超えるか否かを判断し、複数の上りリンクチャネルの送信電力が端末の最大電力を超えると、複数の上りリンクチャネルのうち、所定の優先順位規則に従って決定された上りリンクチャネルを除いた、上りリンクチャネルを送信する。
【００１４】
さらに又はその代わりに、複数の上りリンクチャネルの送信電力が端末の最大電力を超えない時まで、複数の上りリンクチャネルのうち、低い優先順位の上りリンクチャネルから順にドロップすることができる。
【００１５】
さらに又はその代わりに、所定の優先順位規則は、ＴＴＩ長さ、チャネル類型、上りリンク制御情報を含むか否か、及びＤＭＲＳ(ｄｅｍｏｄｕｌａｔｉｏｎ ｒｅｆｅｒｅｎｃｅ ｓｉｇｎａｌ)を含むか否かを考慮して定義される。
【００１６】
さらに又はその代わりに、所定の優先順位規則は、さらにセルインデックスを考慮して定義される。
【００１７】
さらに又はその代わりに、所定の優先順位規則は、さらにセル又はＰＵＣＣＨ(ｐｈｙｓｉｃａｌ ｕｐｌｉｎｋ ｃｏｎｔｒｏｌ Ｃｈａｎｎｅｌ)グループを考慮して定義される。
【００１８】
さらに又はその代わりに、所定の優先順位規則に従って決定された除外される上りリンクチャネルの上り制御情報は、除外される上りリンクチャネルが属するセルグループ又はＰＵＣＣＨ(ｐｈｙｓｉｃａｌ ｕｐｌｉｎｋ ｃｏｎｔｒｏｌ Ｃｈａｎｎｅｌ)グループの最高優先順位の上りリンクチャネルで送信される。
【００１９】
さらに又はその代わりに、所定の優先順位規則は、ＴＴＩ長さ、チャネル類型、上りリンク制御情報を含むか否か及びＤＭＲＳ(ｄｅｍｏｄｕｌａｔｉｏｎ ｒｅｆｅｒｅｎｃｅ ｓｉｇｎａｌ)を含むか否か、セルインデックスを考慮して定義される。
【００２０】
上記の課題解決方法は本発明の実施例の一部に過ぎず、当該技術の分野における通常の知識を有する者であれば、本願発明の技術的特徴が反映された様々な実施例を以下に説明する本発明の詳細な説明から導出できるであろう。
【発明の効果】
【００２１】
本発明の実施例によれば、上りリンク送信を効率的に行うことができる。
【００２２】
本発明から得られる効果は以上で言及した効果に制限されず、言及していない他の効果は、以下の記載から、本発明の属する技術の分野における通常の知識を有する者に明確に理解されるであろう。
【図面の簡単な説明】
【００２３】
本明細書に添付する図面は本発明に対する理解を提供するためのものであり、本発明の多様な実施形態を示し、本発明の説明とともに本発明の技術的思想を説明するためのものである。
【００２４】
【図１】無線通信システムで使用される無線フレーム構造の一例を示す図である。
【図２】無線通信システムにおいて下りリンク／上りリンク(ＤＬ／ＵＬ)スロット構造の一例を示す図である。
【図３】３ＧＰＰ ＬＴＥ／ＬＴＥ−Ａシステムで使用される下りリンク(ｄｏｗｎｌｉｎｋ、ＤＬ)サブフレームの構造を例示する図である。
【図４】３ＧＰＰ ＬＴＥ／ＬＴＥ−Ａシステムで使用される上りリンク(ｕｐｌｉｎｋ、ＵＬ)サブフレームの構造を例示する図である。
【図５】ユーザ平面の遅延(ｌａｔｅｎｃｙ)減少によるＴＴＩ長さの減少を示す図である。
【図６】１つのサブフレーム内に複数の短いＴＴＩが設定された例を示す図である。
【図７】複数の長さ(シンボル数)を有する短いＴＴＩで構成されたＤＬサブフレーム構造を示す図である。
【図８】２つのシンボル又は３つのシンボルの短いＴＴＩで構成されたＤＬサブフレーム構造を示す図である。
【図９】本発明の実施例を具現するための装置を示すブロック図である。
【発明を実施するための形態】
【００２５】
以下、本発明に係る好適な実施の形態を、添付の図面を参照して詳しく説明する。添付の図面と共に以下に開示される詳細な説明は、本発明の例示的な実施の形態を説明するためのものであり、本発明が実施し得る唯一の実施の形態を示すためのものではない。以下の詳細な説明は、本発明の完全な理解を提供するために具体的な細部事項を含む。しかし、当業者にとってはこのような具体的な細部事項なしにも本発明を実施できることは明らかである。
【００２６】
場合によっては、本発明の概念が曖昧になることを避けるために、公知の構造及び装置を省略したり、各構造及び装置の核心機能を中心にしたブロック図の形式で示すことができる。また、本明細書全体にわたって同一の構成要素については、同一の図面符号を付して説明する。
【００２７】
本発明において、ユーザ機器(ｕｓｅｒ ｅｑｕｉｐｍｅｎｔ，ＵＥ)は、固定していても、移動性を有していてもよいもので、基地局(ｂａｓｅ ｓｔａｔｉｏｎ，ＢＳ)と通信してユーザデータ及び／又は各種制御情報を送受信する各種機器を含む。ＵＥを、端末(Ｔｅｒｍｉｎａｌ Ｅｑｕｉｐｍｅｎｔ)、ＭＳ(Ｍｏｂｉｌｅ Ｓｔａｔｉｏｎ)、ＭＴ(Ｍｏｂｉｌｅ Ｔｅｒｍｉｎａｌ)、ＵＴ(Ｕｓｅｒ Ｔｅｒｍｉｎａｌ)、ＳＳ(Ｓｕｂｓｃｒｉｂｅ Ｓｔａｔｉｏｎ)、無線機器(ｗｉｒｅｌｅｓｓ ｄｅｖｉｃｅ)、ＰＤＡ(Ｐｅｒｓｏｎａｌ Ｄｉｇｉｔａｌ Ａｓｓｉｓｔａｎｔ)、無線モデム(ｗｉｒｅｌｅｓｓ ｍｏｄｅｍ)、携帯機器(ｈａｎｄｈｅｌｄ ｄｅｖｉｃｅ)などと呼ぶこともできる。また、本発明において、ＢＳは一般に、ＵＥ及び／又は他のＢＳと通信する固定局(ｆｉｘｅｄ ｓｔａｔｉｏｎ)を意味し、ＵＥ及び他のＢＳと通信して各種データ及び制御情報を交換する。ＢＳを、ＡＢＳ(Ａｄｖａｎｃｅｄ Ｂａｓｅ Ｓｔａｔｉｏｎ)、ＮＢ(Ｎｏｄｅ−Ｂ)、ｅＮＢ(ｅｖｏｌｖｅｄ−ＮｏｄｅＢ)、ＢＴＳ(Ｂａｓｅ Ｔｒａｎｓｃｅｉｖｅｒ Ｓｙｓｔｅｍ)、アクセスポイント(Ａｃｃｅｓｓ Ｐｏｉｎｔ)、ＰＳ(Ｐｒｏｃｅｓｓｉｎｇ Ｓｅｒｖｅｒ)、送信ポイント(ｔｒａｎｓｍｉｓｓｉｏｎ ｐｏｉｎｔ；ＴＰ)などと呼ぶこともできる。以下の本発明に関する説明では、ＢＳをｅＮＢと総称する。
【００２８】
本発明でいうノード(ｎｏｄｅ)とは、ユーザ機器と通信して無線信号を送信／受信できる固定した地点(ｐｏｉｎｔ)を指す。様々な形態のｅＮＢをその名称にかかわらずノードとして用いることができる。例えば、ＢＳ、ＮＢ、ｅＮＢ、ピコ−セルｅＮＢ(ＰｅＮＢ)、ホームｅＮＢ(ＨｅＮＢ)、リレー、リピータなどをノードとすることができる。また、ノードは、ｅＮＢでなくてもよい。例えば、無線リモートヘッド(ｒａｄｉｏ ｒｅｍｏｔｅ ｈｅａｄ，ＲＲＨ)、無線リモートユニット(ｒａｄｉｏ ｒｅｍｏｔｅ ｕｎｉｔ，ＲＲＵ)であってもよい。ＲＲＨ、ＲＲＵなどは一般にｅＮＢの電力レベル(ｐｏｗｅｒ ｌｅｖｅｌ)よりも低い電力レベルを有する。ＲＲＨ或いはＲＲＵ(以下、ＲＲＨ／ＲＲＵ)は一般に、光ケーブルなどの専用回線(ｄｅｄｉｃａｔｅｄ ｌｉｎｅ)でｅＮＢに接続されており、よって、一般に無線回線で接続されているｅＮＢによる協調通信に比べて、ＲＲＨ／ＲＲＵとｅＮＢによる協調通信を円滑に行うことができる。１つのノードには少なくとも１つのアンテナが設置される。このアンテナは、物理アンテナを意味することもでき、アンテナポート、仮想アンテナ、又はアンテナグループを意味することもできる。ノードは、ポイント(ｐｏｉｎｔ)と呼ばれることもある。アンテナが基地局に集中して位置して１つのｅＮＢコントローラ(ｃｏｎｔｒｏｌｌｅｒ)によって制御される既存の(ｃｏｎｖｅｎｔｉｏｎａｌ)中央集中型アンテナシステム(ｃｅｎｔｒａｌｉｚｅｄ ａｎｔｅｎｎａ ｓｙｓｔｅｍ，ＣＡＳ)(すなわち、単一ノードシステム)と違い、多重ノードシステムにおいて複数のノードは一般に一定間隔以上離れて位置する。これらの複数のノードは、各ノードの動作を制御したり、各ノードを通して送／受信されるデータをスケジューリング(ｓｃｈｅｄｕｌｉｎｇ)する１つ以上のｅＮＢ或いはｅＮＢコントローラによって管理することができる。各ノードは、当該ノードを管理するｅＮＢ或いはｅＮＢコントローラとケーブル(ｃａｂｌｅ)或いは専用回線(ｄｅｄｉｃａｔｅｄ ｌｉｎｅ)で接続することができる。多重ノードシステムにおいて、複数のノードへの／からの信号送信／受信には、同一のセル識別子(ｉｄｅｎｔｉｔｙ，ＩＤ)が用いられてもよく、異なるセルＩＤが用いられてもよい。複数のノードが同一のセルＩＤを有すると、これら複数のノードのそれぞれは、１つのセルにおける一部のアンテナ集団のように動作する。多重ノードシステムにおいてノードが互いに異なるセルＩＤを有すると、このような多重ノードシステムを多重セル(例えば、マクロ−セル／フェムト−セル／ピコ−セル)システムと見なすことができる。複数のノードのそれぞれが形成した多重セルがカバレッジによってオーバーレイする形態で構成されると、これらの多重セルが形成したネットワークを特に多重−階層(ｍｕｌｔｉ−ｔｉｅｒ)ネットワークと呼ぶ。ＲＲＨ／ＲＲＵのセルＩＤとｅＮＢのセルＩＤは同一であっても、異なってもよい。ＲＲＨ／ＲＲＵとｅＮＢが互いに異なるセルＩＤを用いる場合、ＲＲＨ／ＲＲＵとｅＮＢはいずれも独立した基地局として動作する。
【００２９】
以下に説明する本発明の多重ノードシステムにおいて、複数のノードに接続した１つ以上のｅＮＢ或いはｅＮＢコントローラが、前記複数のノードの一部又は全てを介してＵＥに同時に信号を送信或いは受信するように前記複数のノードを制御することができる。各ノードの実体、各ノードの具現の形態などによって、多重ノードシステム間には差異点があるが、複数のノードが共に所定時間−周波数リソース上でＵＥに通信サービスを提供するために参加するという点で、これらの多重ノードシステムは単一ノードシステム(例えば、ＣＡＳ、従来のＭＩＭＯシステム、従来の中継システム、従来のリピータシステムなど)とは異なる。そのため、複数のノードの一部又は全てを用いてデータ協調送信を行う方法に関する本発明の実施例は、種々の多重ノードシステムに適用可能である。例えば、ノードとは、通常、他のノードと一定間隔以上で離れて位置しているアンテナグループを指すが、後述する本発明の実施例は、ノードが間隔にかかわらずに任意のアンテナグループを意味する場合にも適用可能である。例えば、Ｘ−ｐｏｌ(Ｃｒｏｓｓ ｐｏｌａｒｉｚｅｄ)アンテナを備えたｅＮＢの場合、該ｅＮＢが、Ｈ−ｐｏｌアンテナで構成されたノードとＶ−ｐｏｌアンテナで構成されたノードを制御すると見なし、本発明の実施例を適用することができる。
【００３０】
複数の送信(Ｔｘ)／受信(Ｒｘ)ノードを介して信号を送信／受信したり、複数の送信／受信ノードから選択された少なくとも１つのノードを介して信号を送信／受信したり、下りリンク信号を送信するノードと上りリンク信号を受信するノードとを別にし得る通信技法を、多重−ｅＮＢ ＭＩＭＯ又はＣｏＭＰ(Ｃｏｏｒｄｉｎａｔｅｄ Ｍｕｌｔｉ−Ｐｏｉｎｔ ＴＸ／ＲＸ)という。このようなノード間協調通信のうち、協調送信技法は、ＪＰ(ｊｏｉｎｔ ｐｒｏｃｅｓｓｉｎｇ)とスケジューリング協調(ｓｃｈｅｄｕｌｉｎｇ ｃｏｏｒｄｉｎａｔｉｏｎ)とに区別できる。前者はＪＴ(ｊｏｉｎｔ ｔｒａｎｓｍｉｓｓｉｏｎ)／ＪＲ(ｊｏｉｎｔ ｒｅｃｅｐｔｉｏｎ)とＤＰＳ(ｄｙｎａｍｉｃ ｐｏｉｎｔ ｓｅｌｅｃｔｉｏｎ)とに区別し、後者はＣＳ(ｃｏｏｒｄｉｎａｔｅｄ ｓｃｈｅｄｕｌｉｎｇ)とＣＢ(ｃｏｏｒｄｉｎａｔｅｄ ｂｅａｍｆｏｒｍｉｎｇ)とに区別できる。ＤＰＳは、ＤＣＳ(ｄｙｎａｍｉｃ ｃｅｌｌ ｓｅｌｅｃｔｉｏｎ)と呼ぶこともできる。他の協調通信技法に比べて、ノード間協調通信技法のうちＪＰを行うとき、より様々な通信環境を形成することができる。ＪＰにおいて、ＪＴは、複数のノードが同一のストリームをＵＥに送信する通信技法をいい、ＪＲは、複数のノードが同一のストリームをＵＥから受信する通信技法をいう。当該ＵＥ／ｅＮＢは、前記複数のノードから受信した信号を合成して前記ストリームを復元する。ＪＴ／ＪＲでは、同一のストリームが複数のノードから／に送信されるため、送信ダイバーシティ(ｄｉｖｅｒｓｉｔｙ)によって信号送信の信頼度を向上させることができる。ＪＰのＤＰＳは、複数のノードから特定規則によって選択された１つのノードを介して信号が送信／受信される通信技法をいう。ＤＰＳでは、通常、ＵＥとノード間のチャンネル状態の良いノードが通信ノードとして選択されるはずであるため、信号送信の信頼度を向上させることができる。
【００３１】
本発明でいうセル(ｃｅｌｌ)とは、１つ以上のノードが通信サービスを提供する一定の地理的領域をいう。そのため、本発明で特定セルと通信するということは、特定セルに通信サービスを提供するｅＮＢ或いはノードと通信することを意味できる。また、特定セルの下りリンク／上りリンク信号は、該特定セルに通信サービスを提供するｅＮＢ或いはノードからの／への下りリンク／上りリンク信号を意味する。ＵＥに上り／下りリンク通信サービスを提供するセルを特にサービングセル(ｓｅｒｖｉｎｇ ｃｅｌｌ)という。また、特定セルのチャンネル状態／品質は、該特定セルに通信サービスを提供するｅＮＢ或いはノードとＵＥ間に形成されたチャンネル或いは通信リンクのチャンネル状態／品質を意味する。３ＧＰＰ ＬＥＴ−Ａベースのシステムにおいて、ＵＥは、特定ノードからの下りリンクチャンネル状態を、前記特定ノードのアンテナポートが前記特定ノードに割り当てられたチャンネルＣＳＩ−ＲＳ(Ｃｈａｎｎｅｌ Ｓｔａｔｅ Ｉｎｆｏｒｍａｔｉｏｎ Ｒｅｆｅｒｅｎｃｅ Ｓｉｇｎａｌ)リソース上で送信するＣＳＩ−ＲＳを用いて測定することができる。一般に、隣接したノードは、互いに直交するＣＳＩ−ＲＳリソース上で該当のＣＳＩ−ＲＳリソースを送信する。ＣＳＩ−ＲＳリソースが直交するということは、ＣＳＩ−ＲＳを運ぶシンボル及び副搬送波を特定するＣＳＩ−ＲＳリソース構成(ｒｅｓｏｕｒｃｅ ｃｏｎｆｉｇｕｒａｔｉｏｎ)、サブフレームオフセット(ｏｆｆｓｅｔ)及び送信周期(ｔｒａｎｓｍｉｓｓｉｏｎ ｐｅｒｉｏｄ)などによってＣＳＩ−ＲＳが割り当てられたサブフレームを特定するサブフレーム構成(ｓｕｂｆｒａｍｅ ｃｏｎｆｉｇｕｒａｔｉｏｎ)、ＣＳＩ−ＲＳシーケンスのうちの少なくとも１つが互いに異なることを意味する。
【００３２】
本発明において、ＰＤＣＣＨ(Ｐｈｙｓｉｃａｌ Ｄｏｗｎｌｉｎｋ Ｃｏｎｔｒｏｌ ＣＨａｎｎｅｌ)／ＰＣＦＩＣＨ(Ｐｈｙｓｉｃａｌ Ｃｏｎｔｒｏｌ Ｆｏｒｍａｔ Ｉｎｄｉｃａｔｏｒ ＣＨａｎｎｅｌ)／ＰＨＩＣＨ(Ｐｈｙｓｉｃａｌ Ｈｙｂｒｉｄ ａｕｔｏｍａｔｉｃ ｒｅｔｒａｎｓｍｉｔ ｒｅｑｕｅｓｔ Ｉｎｄｉｃａｔｏｒ ＣＨａｎｎｅｌ)／ＰＤＳＣＨ(Ｐｈｙｓｉｃａｌ Ｄｏｗｎｌｉｎｋ Ｓｈａｒｅｄ ＣＨａｎｎｅｌ)はそれぞれ、ＤＣＩ(Ｄｏｗｎｌｉｎｋ Ｃｏｎｔｒｏｌ Ｉｎｆｏｒｍａｔｉｏｎ)／ＣＦＩ(Ｃｏｎｔｒｏｌ Ｆｏｒｍａｔ Ｉｎｄｉｃａｔｏｒ)／下りリンクＡＣＫ／ＮＡＣＫ(ＡＣＫｎｏｗｌｅｇｅｍｅｎｔ／Ｎｅｇａｔｉｖｅ ＡＣＫ)／下りリンクデータを運ぶ時間−周波数リソースの集合或いはリソース要素の集合を意味する。また、ＰＵＣＣＨ(Ｐｈｙｓｉｃａｌ Ｕｐｌｉｎｋ Ｃｏｎｔｒｏｌ ＣＨａｎｎｅｌ)／ＰＵＳＣＨ(Ｐｈｙｓｉｃａｌ Ｕｐｌｉｎｋ Ｓｈａｒｅｄ ＣＨａｎｎｅｌ)／ＰＲＡＣＨ(Ｐｈｙｓｉｃａｌ Ｒａｎｄｏｍ Ａｃｃｅｓｓ ＣＨａｎｎｅｌ)はそれぞれ、ＵＣＩ(Ｕｐｌｉｎｋ Ｃｏｎｔｒｏｌ Ｉｎｆｏｒｍａｔｉｏｎ)／上りリンクデータ／ランダムアクセス信号を運ぶ時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、又はそれに属した時間−周波数リソース或いはリソース要素(Ｒｅｓｏｕｒｃｅ Ｅｌｅｍｅｎｔ，ＲＥ)をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと呼ぶ。以下でユーザ機器がＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で或いは介して上りリンク制御情報／上りリンクデータ／ランダムアクセス信号を送信するという表現と同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で或いは介して下りリンクデータ／制御情報を送信するという表現と同じ意味で使われる。
【００３３】
図１は、無線通信システムで用いられる無線フレーム構造の一例を示す図である。特に、図１(ａ)は、３ＧＰＰ ＬＥＴ／ＬＥＴ−Ａシステムで用いられる周波数分割デュプレックス(ｆｒｅｑｕｅｎｃｙ ｄｉｖｉｓｉｏｎ ｄｕｐｌｅｘ，ＦＤＤ)用フレーム構造を示しており、図１(ｂ)は、３ＧＰＰ ＬＥＴ／ＬＥＴ−Ａシステムで用いられる時間分割デュプレックス(ｔｉｍｅ ｄｉｖｉｓｉｏｎ ｄｕｐｌｅｘ，ＴＤＤ)用フレーム構造を示している。
【００３４】
図１を参照すると、３ＧＰＰ ＬＥＴ／ＬＥＴ−Ａシステムで用いられる無線フレームは、１０ｍｓ(３０７２００Ｔｓ)の長さを有し、１０個の均等なサイズのサブフレーム(ｓｕｂｆｒａｍｅ，ＳＦ)で構成される。１無線フレームにおける１０個のサブフレームにはそれぞれ番号を与えることができる。ここで、Ｔｓは、サンプリング時間を表し、Ｔｓ＝１／(２０４８＊１５ｋＨｚ)で表示される。それぞれのサブフレームは、１ｍｓの長さを有し、２個のスロットで構成される。１無線フレームにおいて２０個のスロットには０から１９までの番号を順次に与えることができる。それぞれのスロットは０．５ｍｓの長さを有する。１サブフレームを送信するための時間は、送信時間間隔(ｔｒａｎｓｍｉｓｓｉｏｎ ｔｉｍｅ ｉｎｔｅｒｖａｌ，ＴＴＩ)と定義される。時間リソースは、無線フレーム番号(或いは、無線フレームインデックスともいう)、サブフレーム番号(或いは、サブフレームインデックスともいう)、スロット番号(或いは、スロットインデックスともいう)などによって区別することができる。
【００３５】
無線フレームは、デュプレックス(ｄｕｐｌｅｘ)技法によって別々に構成(ｃｏｎｆｉｇｕｒｅ)することができる。例えば、ＦＤＤモードにおいて、下りリンク送信及び上りリンク送信は周波数によって区別されるため、無線フレームは特定周波数帯域に対して下りリンクサブフレーム又は上りリンクサブフレームのいずれか１つのみを含む。ＴＤＤモードでは下りリンク送信及び上りリンク送信が時間によって区別されるため、特定周波数帯域に対して無線フレームは下りリンクサブフレームも上りリンクサブフレームも含む。
【００３６】
表１はＴＤＤモードで無線フレームにおけるサブフレームのＤＬ−ＵＬ構成(ｃｏｎｆｉｇｕｒａｔｉｏｎ)を例示する。
【００３７】
【表１】
0006750133.tif 000002
【００３８】
表１において、Ｄは下りリンクサブフレームを、Ｕは上りリンクサブフレームを、Ｓは特異(ｓｐｅｃｉａｌ)サブフレームを表す。特異サブフレームは、ＤｗＰＴＳ(Ｄｏｗｎｌｉｎｋ Ｐｉｌｏｔ ＴｉｍｅＳｌｏｔ)、ＧＰ(Ｇｕａｒｄ Ｐｅｒｉｏｄ)、ＵｐＰＴＳ(Ｕｐｌｉｎｋ Ｐｉｌｏｔ ＴｉｍｅＳｌｏｔ)の３つのフィールドを含む。ＤｗＰＴＳは、下りリンク送信のために留保される時間区間であり、ＵｐＰＴＳは上りリンク送信のために留保される時間区間である。表２は特異サブフレーム構成(ｃｏｎｆｉｇｕｒａｔｉｏｎ)を例示する。
【００３９】
【表２】
0006750133.tif 000003
【００４０】
図２は、無線通信システムにおいて下りリンク／上りリンク(ＤＬ／ＵＬ)スロット構造の一例を示す図である。特に、図２は、３ＧＰＰ ＬＥＴ／ＬＥＴ−Ａシステムのリソース格子(ｒｅｓｏｕｒｃｅ ｇｒｉｄ)の構造を示す。アンテナポート当たりに１個のリソース格子がある。
【００４１】
図２を参照すると、スロットは、時間ドメインで複数のＯＦＤＭ(Ｏｒｔｈｏｇｏｎａｌ Ｆｒｅｑｕｅｎｃｙ Ｄｉｖｉｓｉｏｎ Ｍｕｌｔｉｐｌｅｘｉｎｇ)シンボルを含み、周波数ドメインで複数のリソースブロック(ｒｅｓｏｕｒｃｅ ｂｌｏｃｋ，ＲＢ)を含む。ＯＦＤＭシンボルは、１シンボル区間を意味することもある。図２を参照すると、各スロットで送信される信号は、
0006750133.tif 000004
個の副搬送波(ｓｕｂｃａｒｒｉｅｒ)と
0006750133.tif 000005
個のＯＦＤＭシンボルとで構成されるリソース格子(ｒｅｓｏｕｒｃｅ ｇｒｉｄ)と表現することができる。ここで、
0006750133.tif 000006
は、下りリンクスロットにおけるリソースブロック(ｒｅｓｏｕｒｃｅ ｂｌｏｃｋ，ＲＢ)の個数を表し、
0006750133.tif 000007
は、ＵＬスロットにおけるＲＢの個数を表す。
0006750133.tif 000008
と
0006750133.tif 000009
は、ＤＬ送信帯域幅とＵＬ送信帯域幅にそれぞれ依存する。
0006750133.tif 000010
は、下りリンクスロットにおけるＯＦＤＭシンボルの個数を表し、
0006750133.tif 000011
は、ＵＬスロットにおけるＯＦＤＭシンボルの個数を表す。
0006750133.tif 000012
は、１つのＲＢを構成する副搬送波の個数を表す。
【００４２】
ＯＦＤＭシンボルは、多重接続方式によって、ＯＦＤＭシンボル、ＳＣ−ＦＤＭ(Ｓｉｎｇｌｅ Ｃａｒｒｉｅｒ Ｆｒｅｑｕｅｎｃｙ Ｄｉｖｉｓｉｏｎ Ｍｕｌｔｉｐｌｅｘｉｎｇ)シンボルなどと呼ぶことができる。１つのスロットに含まれるＯＦＤＭシンボルの数は、チャンネル帯域幅、ＣＰ(ｃｙｃｌｉｃ ｐｒｅｆｉｘ)長によって様々に変更可能である。例えば、正規(ｎｏｒｍａｌ)ＣＰの場合は、１つのスロットが７個のＯＦＤＭシンボルを含むが、拡張(ｅｘｔｅｎｄｅｄ)ＣＰの場合は、１つのスロットが６個のＯＦＤＭシンボルを含む。図２では、説明の便宜のために、１つのスロットが７ＯＦＤＭシンボルで構成されるサブフレームを例示するが、本発明の実施例は、その他の個数のＯＦＤＭシンボルを有するサブフレームにも同様の方式で適用されてもよい。図２を参照すると、各ＯＦＤＭシンボルは、周波数ドメインで、
0006750133.tif 000013
個の副搬送波を含む。副搬送波の類型は、データ送信のためのデータ副搬送波、参照信号(ｒｅｆｅｒｅｎｃｅ ｓｉｇｎａｌ)の送信のための参照信号副搬送波、ガードバンド(ｇｕａｒｄ ｂａｎｄ)及び直流(Ｄｉｒｅｃｔ Ｃｕｒｒｅｎｔ，ＤＣ)成分のためのヌル(ｎｕｌｌ)副搬送波に分類することができる。ＤＣ成分のためのヌル副搬送波は、未使用のまま残される副搬送波であり、ＯＦＤＭ信号生成過程或いは周波数上り変換過程で搬送波周波数(ｃａｒｒｉｅｒ ｆｒｅｑｕｅｎｃｙ，ｆ０)にマッピング(ｍａｐｐｉｎｇ)される。搬送波周波数は中心周波数(ｃｅｎｔｅｒ ｆｒｅｑｕｅｎｃｙ)と呼ばれることもある。
【００４３】
１ＲＢは、時間ドメインで
0006750133.tif 000014
個(例えば、７個)の連続するＯＦＤＭシンボルと定義され、周波数ドメインで
0006750133.tif 000015
個(例えば、１２個)の連続する副搬送波と定義される。参考として、１つのＯＦＤＭシンボルと１つの副搬送波で構成されたリソースをリソース要素(ｒｅｓｏｕｒｃｅ ｅｌｅｍｅｎｔ，ＲＥ)或いはトーン(ｔｏｎｅ)という。したがって、１つのＲＢは、
0006750133.tif 000016
個のリソース要素で構成される。リソース格子における各リソース要素は、１つのスロットにおけるインデックス対(ｋ，１)によって固有に定義できる。ｋは、周波数ドメインで０から
0006750133.tif 000017
まで与えられるインデックスであり、ｌは、時間ドメインで０から
0006750133.tif 000018
まで与えられるインデックスである。
【００４４】
１サブフレームにおいて
0006750133.tif 000019
個の連続した同一副搬送波を占有しながら、当該サブフレームにおける２個のスロットのそれぞれに１個ずつ位置する２個のＲＢを物理リソースブロック(ｐｈｙｓｉｃａｌ ｒｅｓｏｕｒｃｅ ｂｌｏｃｋ，ＰＲＢ)対(ｐａｉｒ)という。ＰＲＢ対を構成する２個のＲＢは、同一のＰＲＢ番号(或いは、ＰＲＢインデックス(ｉｎｄｅｘ)ともいう)を有する。ＶＲＢは、リソース割り当てのために導入された一種の論理的リソース割り当て単位である。ＶＲＢはＰＲＢと同じサイズを有する。ＶＲＢをＰＲＢにマッピングする方式によって、ＶＲＢは、局部(ｌｏｃａｌｉｚｅｄ)タイプのＶＲＢと分散(ｄｉｓｔｒｉｂｕｔｅｄ)タイプのＶＲＢとに区別される。局部タイプのＶＲＢはＰＲＢに直接マッピングされて、ＶＲＢ番号(ＶＲＢインデックスともいう)がＰＲＢ番号に直接対応する。すなわち、ｎＰＲＢ＝ｎＶＲＢとなる。局部タイプのＶＲＢには０から
0006750133.tif 000020
順に番号が与えられ、
0006750133.tif 000021
である。したがって、局部マッピング方式によれば、同一のＶＲＢ番号を有するＶＲＢが１番目のスロットと２番目のスロットにおいて、同一ＰＲＢ番号のＰＲＢにマッピングされる。一方、分散タイプのＶＲＢはインターリービングを経てＰＲＢにマッピングされる。そのため、同一のＶＲＢ番号を有する分散タイプのＶＲＢは、１番目のスロットと２番目のスロットにおいて互いに異なる番号のＰＲＢにマッピングされることがある。サブフレームの２つのスロットに１個ずつ位置し、同一のＶＲＢ番号を有する２個のＰＲＢをＶＲＢ対と称する。
【００４５】
図３は、３ＧＰＰ ＬＥＴ／ＬＥＴ−Ａシステムで用いられる下りリンク(ｄｏｗｎｌｉｎｋ，ＤＬ)サブフレーム構造を例示する図である。
【００４６】
図３を参照すると、ＤＬサブフレームは、時間ドメインで制御領域(ｃｏｎｔｒｏｌ ｒｅｇｉｏｎ)とデータ領域(ｄａｔａ ｒｅｇｉｏｎ)とに区別される。図３を参照すると、サブフレームの第１のスロットで先頭部における最大３個(或いは４個)のＯＦＤＭシンボルは、制御チャンネルが割り当てられる制御領域(ｃｏｎｔｒｏｌ ｒｅｇｉｏｎ)に対応する。以下、ＤＬサブフレームでＰＤＣＣＨ送信に利用可能なリソース領域(ｒｅｓｏｕｒｃｅ ｒｅｇｉｏｎ)をＰＤＣＣＨ領域と称する。制御領域に用いられるＯＦＤＭシンボル以外のＯＦＤＭシンボルは、ＰＤＳＣＨ(Ｐｈｙｓｉｃａｌ Ｄｏｗｎｌｉｎｋ Ｓｈａｒｅｄ ＣＨａｎｃｅｌ)が割り当てられるデータ領域(ｄａｔａ ｒｅｇｉｏｎ)に該当する。以下、ＤＬサブフレームでＰＤＳＣＨ送信に利用可能なリソース領域をＰＤＳＣＨ領域と称する。３ＧＰＰ ＬＥＴで用いられるＤＬ制御チャンネルの例としては、ＰＣＦＩＣＨ(Ｐｈｙｓｉｃａｌ Ｃｏｎｔｒｏｌ Ｆｏｒｍａｔ Ｉｎｄｉｃａｔｏｒ Ｃｈａｎｎｅｌ)、ＰＤＣＣＨ(Ｐｈｙｓｉｃａｌ Ｄｏｗｎｌｉｎｋ Ｃｏｎｔｒｏｌ Ｃｈａｎｎｅｌ)、ＰＨＩＣＨ(Ｐｈｙｓｉｃａｌ ｈｙｂｒｉｄ ＡＲＱ ｉｎｄｉｃａｔｏｒ Ｃｈａｎｎｅｌ)などを含む。ＰＣＦＩＣＨは、サブフレームの最初のＯＦＤＭシンボルで送信され、サブフレームにおいて制御チャンネルの送信に用いられるＯＦＤＭシンボルの個数に関する情報を運ぶ。ＰＨＩＣＨは、ＵＬ送信に対する応答としてＨＡＲＱ(Ｈｙｂｒｉｄ Ａｕｔｏｍａｔｉｃ Ｒｅｐｅａｔ Ｒｅｑｕｅｓｔ)ＡＣＫ／ＮＡＣＫ(ａｃｋｎｏｗｌｅｄｇｍｅｎｔ／ｎｅｇａｔｉｖｅ−ａｃｋｎｏｗｌｅｄｇｍｅｎｔ)信号を運ぶ。
【００４７】
ＰＤＣＣＨを介して送信される制御情報を下りリンク制御情報(ｄｏｗｎｌｉｎｋ ｃｏｎｔｒｏｌ ｉｎｆｏｒｍａｔｉｏｎ，ＤＣＩ)と呼ぶ。ＤＣＩは、ＵＥ又はＵＥグループのためのリソース割り当て情報及び他の制御情報を含む。例えば、ＤＣＩは、ＤＬ共有チャンネル(ｄｏｗｎｌｉｎｋ ｓｈａｒｅｄ ｃｈａｎｎｅｌ，ＤＬ−ＳＣＨ)の送信フォーマット及びリソース割り当て情報、ＵＬ共有チャンネル(ｕｐｌｉｎｋ ｓｈａｒｅｄ ｃｈａｎｎｅｌ，ＵＬ−ＳＣＨ)の送信フォーマット及びリソース割り当て情報、ページングチャンネル(ｐａｇｉｎｇ ｃｈａｎｎｅｌ，ＰＣＨ)上のページング情報、ＤＬ−ＳＣＨ上のシステム情報、ＰＤＳＣＨ上で送信されるランダムアクセス応答のような上位層(ｕｐｐｅｒ ｌａｙｅｒ)制御メッセージのリソース割り当て情報、ＵＥグループ内の個別ＵＥへの送信電力制御命令(Ｔｒａｎｓｍｉｔ Ｃｏｎｔｒｏｌ Ｃｏｍｍａｎｄ Ｓｅｔ)、送信電力制御(Ｔｒａｎｓｍｉｔ Ｐｏｗｅｒ Ｃｏｎｔｒｏｌ)命令、ＶｏＩＰ(Ｖｏｉｃｅ ｏｖｅｒ ＩＰ)の活性化(ａｃｔｉｖａｔｉｏｎ)指示情報、ＤＡＩ(Ｄｏｗｎｌｉｎｋ Ａｓｓｉｇｎｍｅｎｔ Ｉｎｄｅｘ)などを含む。ＤＬ共有チャンネル(ｄｏｗｎｌｉｎｋ ｓｈａｒｅｄ ｃｈａｎｎｅｌ，ＤＬ−ＳＣＨ)の送信フォーマット(Ｔｒａｎｓｍｉｔ Ｆｏｒｍａｔ)及びリソース割り当て情報は、ＤＬスケジューリング情報或いはＤＬグラント(ＤＬ ｇｒａｎｔ)とも呼ばれ、ＵＬ共有チャンネル(ｕｐｌｉｎｋ ｓｈａｒｅｄ ｃｈａｎｎｅｌ，ＵＬ−ＳＣＨ)の送信フォーマット及びリソース割り当て情報は、ＵＬスケジューリング情報或いはＵＬグラント(ＵＬ ｇｒａｎｔ)とも呼ばれる。１つのＰＤＣＣＨが運ぶＤＣＩは、ＤＣＩフォーマットによってそのサイズと用途が異なり、符号化率によってそのサイズが異なり得る。現在３ＧＰＰ ＬＥＴシステムでは、上りリンク用にフォーマット０及び４、下りリンク用にフォーマット１、１Ａ、１Ｂ、１Ｃ、１Ｄ、２、２Ａ、２Ｂ、２Ｃ、３、３Ａなどの様々なフォーマットが定義されている。ＤＣＩフォーマットのそれぞれの用途に応じて、ホッピングフラグ、ＲＢ割り当て(ＲＢ ａｌｌｏｃａｔｉｏｎ)、ＭＣＳ(ｍｏｄｕｌａｔｉｏｎ ｃｏｄｉｎｇ ｓｃｈｅｍｅ)、ＲＶ(ｒｅｄｕｎｄａｎｃｙ ｖｅｒｓｉｏｎ)、ＮＤＩ(ｎｅｗ ｄａｔａ ｉｎｄｉｃａｔｏｒ)、ＴＰＣ(ｔｒａｎｓｍｉｔ ｐｏｗｅｒ ｃｏｎｔｒｏｌ)、循環シフトＤＭＲＳ(ｃｙｃｌｉｃ ｓｈｉｆｔ ｄｅｍｏｄｕｌａｔｉｏｎ ｒｅｆｅｒｅｎｃｅ ｓｉｇｎａｌ)、ＵＬインデックス、ＣＱＩ(ｃｈａｎｎｅｌ ｑｕａｌｉｔｙ ｉｎｆｏｒｍａｔｉｏｎ)要請、ＤＬ割り当てインデックス(ＤＬ ａｓｓｉｇｎｍｅｎｔ ｉｎｄｅｘ)、ＨＡＲＱプロセスナンバー、ＴＰＭＩ(ｔｒａｎｓｍｉｔｔｅｄ ｐｒｅｃｏｄｉｎｇ ｍａｔｒｉｘ ｉｎｄｉｃａｔｏｒ)、ＰＭＩ(ｐｒｅｃｏｄｉｎｇ ｍａｔｒｉｘ ｉｎｄｉｃａｔｏｒ)情報などの制御情報が適宜選択された組み合わせが下りリンク制御情報としてＵＥに送信される。
【００４８】
一般に、ＵＥに構成された送信モード(ｔｒａｎｓｍｉｓｓｉｏｎ ｍｏｄｅ，ＴＭ)によって当該ＵＥに送信可能なＤＣＩフォーマットが異なる。換言すれば、特定送信モードに構成されたＵＥのためには、いかなるＤＣＩフォーマットを用いてもよいわけではなく、特定送信モードに対応する一定ＤＣＩフォーマットのみを用いることができる。
【００４９】
ＰＤＣＣＨは、１つ又は複数の連続した制御チャンネル要素(ｃｏｎｔｒｏｌ ｃｈａｎｎｅｌ ｅｌｅｍｅｎｔ，ＣＣＥ)の集成(ａｇｇｒｅｇａｔｉｏｎ)上で送信される。ＣＣＥは、ＰＤＣＣＨに無線チャンネル状態に基づく符号化率(ｃｏｄｉｎｇ ｒａｔｅ)を提供するために用いられる論理的割り当てユニット(ｕｎｉｔ)である。ＣＣＥは、複数のリソース要素グループ(ｒｅｓｏｕｒｃｅ ｅｌｅｍｅｎｔ ｇｒｏｕｐ，ＲＥＧ)に対応する。例えば、１ ＣＣＥは９個のＲＥＧに対応し、１ ＲＥＧは４個のＲＥに対応する。３ＧＰＰ ＬＥＴシステムの場合、それぞれのＵＥのためにＰＤＣＣＨが位置してもよいＣＣＥセットを定義した。ＵＥが自身のＰＤＣＣＨを発見し得るＣＣＥセットを、ＰＤＣＣＨ探索空間、簡単に探索空間(Ｓｅａｒｃｈ Ｓｐａｃｅ，ＳＳ)と呼ぶ。探索空間内でＰＤＣＣＨが送信されてもよい個別リソースをＰＤＣＣＨ候補(ｃａｎｄｉｄａｔｅ)と呼ぶ。ＵＥがモニタリング(ｍｏｎｉｔｏｒｉｎｇ)するＰＤＣＣＨ候補の集合を探索空間と定義する。３ＧＰＰ ＬＥＴ／ＬＥＴ−ＡシステムでそれぞれのＤＣＩフォーマットのための探索空間は異なるサイズを有してもよく、専用(ｄｅｄｉｃａｔｅｄ)探索空間と共通(ｃｏｍｍｏｎ)探索空間とが定義されている。専用探索空間は、ＵＥ−特定(ｓｐｅｃｉｆｉｃ)探索空間であり、それぞれの個別ＵＥのために構成(ｃｏｎｆｉｇｕｒａｔｉｏｎ)される。共通探索空間は、複数のＵＥのために構成される。以下の表は、探索空間を定義する集成レベル(ａｇｇｒｅｇａｔｉｏｎ ｌｅｖｅｌ)を例示するものである。
【００５０】
【表３】
0006750133.tif 000022
【００５１】
１つのＰＤＣＣＨ候補は、ＣＣＥ集成レベルによって１、２、４又は８個のＣＣＥに対応する。ｅＮＢは、探索空間内の任意のＰＤＣＣＨ候補上で実際のＰＤＣＣＨ(ＤＣＩ)を送信し、ＵＥは、ＰＤＣＣＨ(ＤＣＩ)を探すために探索空間をモニタリングする。ここで、モニタリングとは、全てのモニタリングされるＤＣＩフォーマットによって当該探索空間内の各ＰＤＣＣＨの復号(ｄｅｃｏｄｉｎｇ)を試みる(ａｔｔｅｍｐｔ)ことを意味する。ＵＥは、前記複数のＰＤＣＣＨをモニタリングし、自身のＰＤＣＣＨを検出することができる。基本的に、ＵＥは、自身のＰＤＣＣＨが送信される位置を知らないことから、各サブフレーム毎に当該ＤＣＩフォーマットの全てのＰＤＣＣＨに対して、自身の識別子を有するＰＤＣＣＨを検出するまで復号を試みるが、このような過程をブラインド検出(ｂｌｉｎｄ ｄｅｔｅｃｔｉｏｎ)(ブラインド復号(ｂｌｉｎｄ ｄｅｃｏｄｉｎｇ，ＢＤ))という。
【００５２】
ｅＮＢは、データ領域を通してＵＥ或いはＵＥグループのためのデータを送信することができる。データ領域を通して送信されるデータをユーザデータと呼ぶこともできる。ユーザデータの送信のために、データ領域にはＰＤＳＣＨ(Ｐｈｙｓｉｃａｌ Ｄｏｗｎｌｉｎｋ Ｓｈａｒｅｄ ＣＨａｎｎｅｌ)を割り当てることができる。ＰＣＨ(Ｐａｇｉｎｇ ｃｈａｎｎｅｌ)及びＤＬ−ＳＣＨ(Ｄｏｗｎｌｉｎｋ−ｓｈａｒｅｄ ｃｈａｎｎｅｌ)は、ＰＤＳＣＨを介して送信される。ＵＥは、ＰＤＣＣＨを介して送信される制御情報を復号し、ＰＤＳＣＨを介して送信されるデータを読むことができる。ＰＤＳＣＨのデータがどのＵＥ或いはＵＥグループに送信されるか、前記ＵＥ或いはＵＥグループがどのようにＰＤＳＣＨデータを受信して復号すればよいかなどを示す情報がＰＤＣＣＨに含まれて送信される。例えば、特定ＰＤＣＣＨが「Ａ」というＲＮＴＩ(Ｒａｄｉｏ Ｎｅｔｗｏｒｋ Ｔｅｍｐｏｒａｒｙ Ｉｄｅｎｔｉｔｙ)でＣＲＣ(ｃｙｃｌｉｃ ｒｅｄｕｎｄａｎｃｙ ｃｈｅｃｋ)マスキング(ｍａｓｋｉｎｇ)されており、「Ｂ」という無線リソース(例えば、周波数位置)及び「Ｃ」という送信形式情報(例えば、送信ブロックサイズ、変調方式、コーディング情報など)を用いて送信されるデータに関する情報が特定ＤＬサブフレームで送信されると仮定する。ＵＥは、自身の所有しているＲＮＴＩ情報を用いてＰＤＣＣＨをモニタリングし、「Ａ」というＲＮＴＩを有しているＵＥはＰＤＣＣＨを検出し、受信したＰＤＣＣＨの情報によって「Ｂ」と「Ｃ」で示されるＰＤＳＣＨを受信する。
【００５３】
ＵＥがｅＮＢから受信した信号を復調するには、データ信号と比較する参照信号(ｒｅｆｅｒｅｎｃｅ ｓｉｇｎａｌ，ＲＳ)が必要である。参照信号とは、ｅＮＢがＵＥに或いはＵＥがｅＮＢに送信する、ｅＮＢとＵＥが互いに知っている、予め定義された特別な波形の信号を意味し、パイロット(ｐｉｌｏｔ)とも呼ばれる。参照信号は、セル内の全ＵＥに共用されるセル−特定(ｃｅｌｌ−ｓｐｅｃｉｆｉｃ)ＲＳと特定ＵＥに専用される復調(ｄｅｍｏｄｕｌａｔｉｏｎ)ＲＳ(ＤＭ ＲＳ)とに区別される。ｅＮＢが特定ＵＥのための下りリンクデータの復調のために送信するＤＭ ＲＳをＵＥ−特定的(ＵＥ−ｓｐｅｃｉｆｉｃ)ＲＳと特別に称することもできる。下りリンクでＤＭ ＲＳとＣＲＳは共に送信されてもよいが、いずれか一方のみが送信されてもよい。ただし、下りリンクでＣＲＳ無しにＤＭ ＲＳのみが送信される場合、データと同じプリコーダを適用して送信されるＤＭ ＲＳは復調の目的にのみ用いることができるため、チャンネル測定用ＲＳを別途に提供しなければならない。例えば、３ＧＰＰ ＬＥＴ(−Ａ)では、ＵＥがチャンネル状態情報を測定できるようにするために、追加の測定用ＲＳであるＣＳＩ−ＲＳが当該ＵＥに送信される。ＣＳＩ−ＲＳは、チャンネル状態について相対的に時間による変化度が大きくないという事実に着目し、各サブフレーム毎に送信されるＣＲＳとは違い、複数のサブフレームで構成される所定の送信周期毎に送信される。
【００５４】
図４は、３ＧＰＰ ＬＥＴ／ＬＥＴ−Ａシステムで使用される上りリンク(ｕｐｌｉｎｋ，ＵＬ)サブフレーム構造の一例を示す図である。
【００５５】
図４を参照すると、ＵＬサブフレームは、周波数ドメインで制御領域とデータ領域とに区別できる。１つ又は複数のＰＵＣＣＨ(ｐｈｙｓｉｃａｌ ｕｐｌｉｎｋ ｃｏｎｔｒｏｌ ｃｈａｎｎｅｌｓ)が上りリンク制御情報(ｕｐｌｉｎｋ ｃｏｎｔｒｏｌ ｉｎｆｏｒｍａｔｉｏｎ，ＵＣＩ)を運ぶために制御領域に割り当てることができる。１つ又は複数のＰＵＳＣＨ(ｐｈｙｓｉｃａｌ ｕｐｌｉｎｋ ｓｈａｒｅｄ ｃｈａｎｎｅｌｓ)がユーザデータを運ぶために、ＵＬサブフレームのデータ領域に割り当てられてもよい。
【００５６】
ＵＬサブフレームではＤＣ(Ｄｉｒｅｃｔ Ｃｕｒｒｅｎｔ)副搬送波から遠く離れた副搬送波が制御領域として用いられる。換言すれば、ＵＬ送信帯域幅の両端部に位置する副搬送波が上りリンク制御情報の送信に割り当てられる。ＤＣ副搬送波は、信号送信に用いられずに残される成分であり、周波数上り変換過程で搬送波周波数ｆ０にマッピングされる。１つのＵＥのＰＵＣＣＨは１つのサブフレームで、１つの搬送波周波数で動作するリソースに属したＲＢ対に割り当てられ、このＲＢ対に属したＲＢは、２つのスロットでそれぞれ異なる副搬送波を占有する。このように割り当てられるＰＵＣＣＨを、ＰＵＣＣＨに割り当てられたＲＢ対がスロット境界で周波数ホッピングすると表現する。ただし、周波数ホッピングが適用されない場合には、ＲＢ対が同一の副搬送波を占有する。
【００５７】
ＰＵＣＣＨは、次の制御情報を送信するために使用される。
【００５８】
−ＳＲ(Ｓｃｈｅｄｕｌｉｎｇ Ｒｅｑｕｅｓｔ)：上りリンクＵＬ−ＳＣＨリソースを要請するために使用される情報である。ＯＯＫ(Ｏｎ−Ｏｆｆ Ｋｅｙｉｎｇ)方式を用いて送信される。
【００５９】
−ＨＡＲＱ−ＡＣＫ：ＰＤＣＣＨに対する応答及び／又はＰＤＳＣＨ上の下りリンクデータパケット(例えば、コードワード)に対する応答である。ＰＤＣＣＨ或いはＰＤＳＣＨが成功的に受信されたか否かを示す。単一下りリンクコードワードに対する応答としてＨＡＲＱ−ＡＣＫ １ビットが送信され、２つの下りリンクコードワードに対する応答としてＨＡＲＱ−ＡＣＫ ２ビットが送信される。ＨＡＲＱ−ＡＣＫ応答は、ポジティブＡＣＫ(簡単に、ＡＣＫ)、ネガティブＡＣＫ(以下、ＮＡＣＫ)、ＤＴＸ(Ｄｉｓｃｏｎｔｉｎｕｏｕｓ Ｔｒａｎｓｍｉｓｓｉｏｎ)又はＮＡＣＫ／ＤＴＸを含む。ここで、ＨＡＲＱ−ＡＣＫという用語は、ＨＡＲＱ ＡＣＫ／ＮＡＣＫ、ＡＣＫ／ＮＡＣＫと同じ意味で使われる。
【００６０】
−ＣＳＩ(Ｃｈａｎｎｅｌ Ｓｔａｔｅ Ｉｎｆｏｒｍａｔｉｏｎ)：下りリンクチャンネルに対するフィードバック情報(ｆｅｅｄｂａｃｋ ｉｎｆｏｒｍａｔｉｏｎ)である。ＭＩＭＯ(Ｍｕｌｔｉｐｌｅ Ｉｎｐｕｔ Ｍｕｌｔｉｐｌｅ Ｏｕｔｐｕｔ)−関連フィードバック情報は、ＲＩ(Ｒａｎｋ Ｉｎｄｉｃａｔｏｒ)及びＰＭＩ(Ｐｒｅｃｏｄｉｎｇ Ｍａｔｒｉｘ Ｉｎｄｉｃａｔｏｒ)を含む。
【００６１】
ＵＥがサブフレームで送信可能な上りリンク制御情報(ＵＣＩ)の量は、制御情報送信に可用なＳＣ−ＦＤＭＡの個数に依存する。ＵＣＩに可用なＳＣ−ＦＤＭＡは、サブフレームにおいて参照信号の送信のためのＳＣ−ＦＤＭＡシンボルを除く残りのＳＣ−ＦＤＭＡシンボルを意味し、ＳＲＳ(Ｓｏｕｎｄｉｎｇ Ｒｅｆｅｒｅｎｃｅ Ｓｉｇｎａｌ)が構成されているサブフレームでは、サブフレームの最後のＳＣ−ＦＤＭＡシンボルも除く。参照信号は、ＰＵＣＣＨのコヒーレント(ｃｏｈｅｒｅｎｔ)検出に用いられる。ＰＵＣＣＨは、送信される情報によって様々なフォーマットを支援する。
【００６２】
表４はＬＥＴ／ＬＥＴ−ＡシステムにおいてＰＵＣＣＨフォーマットとＵＣＩとのマッピング関係を示す。
【００６３】
【表４】
0006750133.tif 000023
【００６４】
表４を参照すると、主に、ＰＵＣＣＨフォーマット１系列はＡＣＫ／ＮＡＣＫ情報を送信するために用いられ、ＰＵＣＣＨフォーマット２系列はＣＱＩ／ＰＭＩ／ＲＩなどのチャンネル状態情報(ｃｈａｎｎｅｌ ｓｔａｔｅ ｉｎｆｏｒｍａｔｉｏｎ，ＣＳＩ)を運ぶために用いられ、ＰＵＣＣＨフォーマット３系列はＡＣＫ／ＮＡＣＫ情報を送信するために用いられる。
【００６５】
参照信号(Ｒｅｆｅｒｅｎｃｅ Ｓｉｇｎａｌ；ＲＳ)
【００６６】
無線通信システムにおいてパケットを送信する時、パケットは無線チャネルを通じて送信されるため、送信過程で信号の歪みが発生することがある。歪んだ信号を受信側で正しく受信するためには、チャネル情報を用いて受信信号において歪みを補正しなければならない。チャネル情報を知るために、送信側と受信側の両方で知っている信号を送信し、該信号がチャネルを通じて受信される時の歪みの度合からチャネル情報を把握する方法を主に用いる。この信号をパイロット信号(Ｐｉｌｏｔ Ｓｉｇｎａｌ)又は参照信号(Ｒｅｆｅｒｅｎｃｅ Ｓｉｇｎａｌ)という。
【００６７】
多重アンテナを用いてデータを送受信する場合、各送信アンテナと受信アンテナの間のチャネル状況を知らないと、正しい信号を受信することができない。従って、各送信アンテナごとに、より詳しくはアンテナポート(ａｎｔｅｎｎａ ｐｏｒｔ)ごとに異なった参照信号が存在しなければならない。
【００６８】
参照信号は上りリンク参照信号と下りリンク参照信号とに区別できる。現在、いくつのシステム、例えば、ＬＥＴベースのシステムにおいて、上りリンク参照信号として、
【００６９】
i)ＰＵＳＣＨ及びＰＵＣＣＨを介して送信された情報のコヒーレント(ｃｏｈｅｒｅｎｔ)な復調のためのチャネル推定のための復調参照信号(ＤｅＭｏｄｕｌａｔｉｏｎ−Ｒｅｆｅｒｅｎｃｅ Ｓｉｇｎａｌ，ＤＭ−ＲＳ)及び
【００７０】
ii)ｅＮＢが、ネットワークの異なる周波数における上りリンクチャネル品質を測定するためのサウンディング参照信号(Ｓｏｕｎｄｉｎｇ Ｒｅｆｅｒｅｎｃｅ Ｓｉｇｎａｌ，ＳＲＳ)を含む。
【００７１】
一方、下りリンク参照信号としては、例えば、
【００７２】
i)セル内の全ての端末が共有するセル−特定の参照信号(Ｃｅｌｌ−ｓｐｅｃｉｆｉｃ Ｒｅｆｅｒｅｎｃｅ Ｓｉｇｎａｌ，ＣＲＳ);
【００７３】
ii)特定のＵＥのみのための端末−特定の参照信号(ＵＥ−ｓｐｅｃｉｆｉｃ Ｒｅｆｅｒｅｎｃｅ Ｓｉｇｎａｌ);
【００７４】
iii)ＰＤＳＣＨが送信される場合に、コヒーレントな復調のために送信される(ＤｅＭｏｄｕｌａｔｉｏｎ−Ｒｅｆｅｒｅｎｃｅ Ｓｉｇｎａｌ，ＤＭ−ＲＳ);
【００７５】
iv)下りリンクＤＭＲＳが送信される場合に、チャネル状態情報(Ｃｈａｎｎｅｌ Ｓｔａｔｅ Ｉｎｆｏｒｍａｔｉｏｎ；ＣＳＩ)を伝達するためのチャネル状態情報の参照信号(Ｃｈａｎｎｅｌ Ｓｔａｔｅ Ｉｎｆｏｒｍａｔｉｏｎ−Ｒｅｆｅｒｅｎｃｅ Ｓｉｇｎａｌ，ＣＳＩ−ＲＳ);
【００７６】
v)ＭＢＳＦＮ(Ｍｕｌｔｉｍｅｄｉａ Ｂｒｏａｄｃａｓｔ Ｓｉｎｇｌｅ Ｆｒｅｑｕｅｎｃｙ Ｎｅｔｗｏｒｋ)モードで送信される信号に対するコヒーレントな復調のために送信されるＭＢＳＦＮ参照信号(ＭＢＳＦＮ Ｒｅｆｅｒｅｎｃｅ Ｓｉｇｎａｌ);及び
【００７７】
vi)端末の地理的位置情報を推定するために用いられる位置参照信号(Ｐｏｓｉｔｉｏｎｉｎｇ Ｒｅｆｅｒｅｎｃｅ Ｓｉｇｎａｌ)がある。
【００７８】
参照信号はその目的によって２種類に大別できる。チャネル情報取得のために用いられる参照信号と、データ復調のために用いられる参照信号とがある。前者は、ＵＥが下りリンク上のチャネル情報を取得できるようにすることに目的があるため、広帯域に送信されなければならず、特定サブフレームで下りリンクデータを受信しない端末であってもその参照信号を受信しなければならない。また、これはハンドオーバーなどの状況でも用いられる。後者は、基地局が下りリンクを送る時に該当のリソースに共に送る参照信号であって、端末は当該参照信号を受信することによってチャネル測定をしてデータを復調することができる。この参照信号は、データの送信される領域で送信されなければならない。
【００７９】
送信電力制御
【００８０】
端末の上りリンク送信電力を制御するために様々なパラメータが利用され、該パラメータは開放ループ電力制御パラメータ(Ｏｐｅｎ Ｌｏｏｐ Ｐｏｗｅｒ ｃｏｎｔｒｏｌ；ＯＬＰＣ)及び閉鎖ループ電力制御パラメータ(Ｃｌｏｓｅｄ Ｌｏｏｐ Ｐｏｗｅｒ ｃｏｎｔｒｏｌ；ＣＬＰＣ)に分類される。ＯＬＰＣは、端末が属するサービングセル(又はサービング基地局)からの下りリンク信号減殺を推定して、それを補償する形態で電力制御するための因子であり、例えば、端末からサービングセルまでの距離が遠くなって下りリンクの信号減殺が大きくなると、上りリンクの送信電力を高める方式で上りリンク電力が制御される。またＣＬＰＣは、基地局で上りリンク送信電力を調節するために必要な情報(例えば、ＴＰＣ命令など)を直接伝達する方式で上りリンク電力を制御する時に用いられる。上りリンク送信電力制御は、かかるＯＬＰＣとＣＬＰＣを共に考慮して行われる。
【００８１】
具体的には、端末のＰＵＳＣＨ送信のためのＰＵＳＣＨ送信電力の決定ついて説明する。以下の数１は、サービングセルｃにおいてサブスロット／スロット／サブフレームインデックスｉにおけるＰＵＣＣＨを同時に送信せず、ＰＵＳＣＨのみを送信する場合の端末の送信電力を決定するための式である。
【００８２】
【数１】
0006750133.tif 000024
【００８３】
以下の数２は、サービングセルｃのサブフレームインデックスｉにおいてＰＵＣＣＨとＰＵＳＣＨを同時に送信する場合、ＰＵＳＣＨ送信電力を決定する式である。
【００８４】
【数２】
0006750133.tif 000025
【００８５】
以下、数１及び数２に関連して説明するパラメータは、サービングセルｃにおける端末の上りリンク送信電力を決定することである。ここで、数１の
0006750133.tif 000026
は、サブフレームインデックスｉにおける端末の送信可能な最大電力を示し、数２の
0006750133.tif 000027
は、
0006750133.tif 000028
の線形値(ｌｉｎｅａｒ ｖａｌｕｅ)を示す。数２の
0006750133.tif 000029
は、
0006750133.tif 000030
の線形値を示す
0006750133.tif 000031
。
【００８６】
数１において、
0006750133.tif 000032
は、サブフレームインデックスｉに対して有効なリソースブロック数で表されたＰＵＳＣＨリソース割り当ての帯域幅を示すパラメータであり、基地局が割り当てる値である。ＰO_ＰＵＳＣＨ,c(ｊ)は、上位階層から提供されたセル−特定の名目上の要素(ｎｏｍｉｎａｌ ｃｏｍｐｏｎｅｎｔ)ＰO_NOMINAL_ＰＵＳＣＨ,c(ｊ)と、上位階層から提供された端末−特定の要素ＰO_UE_ＰＵＳＣＨ,c(ｊ)との和で構成されたパラメータであって、基地局が端末に知らせる値である。動的スケジューリングされるグラントに対応するＰＵＳＣＨ送信／再送信はｊ＝１であり、ランダムアクセス応答グラントに対応するＰＵＳＣＨ送信／再送信はｊ＝２である。また、ＰO_UE_ＰＵＳＣＨ,c(２)＝０であり、ＰO_NOMINAL_ＰＵＳＣＨ,c(２)＝ＰO_PRE ＋ΔPREAMBLE_Msg３であり、パラメータpreambleInitialReceivedTargetPower (ＰO_PRE)とΔPREAMBLE_Msg３は上位階層でシグナリングされる。
【００８７】
αc(ｊ)は経路損失補償因子(ｐａｔｈｌｏｓｓ ｃｏｍｐｅｎｓａｔｉｏｎ ｆａｃｔｏｒ)であって、上位階層から提供されて基地局が３ビットで送信するセル−特定のパラメータである。ｊ＝０又は１である時、αc∈{０、０.４、０.５、０.６、０.７、０.８、０.９、１}であり、ｊ＝２である時は、αc(ｊ)＝１である。
【００８８】
ＰＬＣは端末がｄＢ単位で計算した下りリンク経路損失(又は信号損失)推定値であり、ＰＬc＝ｒｅｆｅｒｅｎｃｅＳｉｇｎａｌＰｏｗｅｒ−ｈｉｇｈｅｒ ｌａｙｅｒ ｆｉｌｔｅｒｅｄ ＲＳＲＰ(ｒｅｆｅｒｅｎｃｅ ｓｉｇｎａｌ ｒｅｃｅｉｖｅｄ ｐｏｗｅｒ)と表現され、ここで、ｒｅｆｅｒｅｎｃｅＳｉｇｎａｌＰｏｗｅｒは基地局が上位階層により端末に知らせることができる。
【００８９】
fc(ｉ)はサブフレームインデックスｉに対して現在のＰＵＳＣＨ電力制御の調整状態を示す値であり、現在の絶対値又は累積値で表現される。累積が上位階層から提供されるパラメータＡｃｃｕｍｕｌａｔｉｏｎ−ｅｎａｂｌｅｄに基づいて可能になるか、又はＴＰＣ命令がＣＲＣが臨時Ｃ−ＲＮＴＩによりスクランブルされたサービングセルｃに対するＤＣＩフォーマット０と共にＰＤＣＣＨに含まれると、
0006750133.tif 000033
を満たす。
0006750133.tif 000034
はサブフレームｉ−ＫＰＵＳＣＨにおいてＤＣＩフォーマット０／４又は３／３Ａと共にＰＤＣＣＨにシグナリングされ、ここで、ｆc(０)は累積値のリセット後の最初値である。
【００９０】
ＫＰＵＳＣＨ の値はＬＴＥ標準において以下のように定義できる。
【００９１】
ＦＤＤ(Ｆｒｅｑｕｅｎｃｙ Ｄｉｖｉｓｉｏｎ Ｄｕｐｌｅｘ)について、ＫＰＵＳＣＨの値は４である。ＴＤＤ ＵＬ−ＤＬ ｃｏｎｆｉｇｕｒａｔｉｏｎ ０−６については、ＫＰＵＳＣＨの値は以下の表５の通りである。ＴＤＤ ＵＬ−ＤＬ ｃｏｎｆｉｇｕｒａｔｉｏｎ ０について、ＵＬインデックスのＬＳＢ(Ｌｅａｓｔ Ｓｉｇｎｉｆｉｃａｎｔ Ｂｉｔ)が１に設定され、サブフレーム２又は７ではＰＵＳＣＨ送信がＤＣＩフォーマット０／４のＰＤＣＣＨと共にスケジューリングされると、ＫＰＵＳＣＨ ＝７である。他のＰＵＳＣＨ送信については、ＫＰＵＳＣＨの値は以下の表５の通りである。
【００９２】
【表５】
0006750133.tif 000035
【００９３】
ＤＲＸを除いて毎サブフレームで端末は端末のＣ−ＲＮＴＩを有し、ＤＣＩフォーマット０／４のＰＤＣＣＨを又は端末のＴＰＣ−ＰＵＳＣＨ−ＲＮＴＩを有して、ＤＣＩフォーマット３／３ＡのＰＤＣＣＨ及びＳＰＳ Ｃ−ＲＮＴＩに対するＤＣＩフォーマットの復号を行う。サービングセルｃに対するＤＣＩフォーマット０／４及びＤＣＩフォーマット３／３Ａは、同じサブフレームで検出されると、端末はＤＣＩフォーマット０／４で提供される
0006750133.tif 000036
を使用しなければならない。サービングセルｃのために復号されるＴＰＣ命令がないか、ＤＲＸが生じるか又はｉがＴＤＤで上りリンクサブフレームではないサブフレームについて、
0006750133.tif 000037
である。
【００９４】
ＤＣＩフォーマット０／４と共にＰＤＣＣＨ上でシグナリングされる
0006750133.tif 000038
累積値は、以下の表６の通りである。ＤＣＩフォーマット０と共にするＰＤＣＣＨは、ＳＰＳ ａｃｔｉｖａｔｉｏｎにより認証(ｖａｌｉｄａｔｉｏｎ)されるか又はＰＤＣＣＨをリリースすると、
0006750133.tif 000039
である。ＤＣＩフォーマット３／３Ａと共にＰＤＣＣＨ上でシグナリングされる
0006750133.tif 000040
累積値は、以下の表６のＳＥＴ１の１つであるか、又は上位階層で提供されるＴＰＣ−ｉｎｄｅｘパラメータにより決定される以下の表７のＳＥＴ２の１つである。
【００９５】
【表６】
0006750133.tif 000041
【００９６】
【表７】
0006750133.tif 000042
【００９７】
サービングセルｃにおける送信最大電力
0006750133.tif 000043
を超えると、サービングセルｃに対して正(ｐｏｓｉｔｉｖｅ)のＴＰＣ命令は累積されない。反面、端末が最低電力に到達すると、負(ｎｅｇａｔｉｖｅ)のＴＰＣ命令が累積されない。
【００９８】
サービングセルｃについて、ＰO_UE_ＰＵＳＣＨ,c(ｊ)値が上位階層で変更される時、またプライマリーセル(Ｐｒｉｍａｒｙ ｃｅｌｌ)で端末がランダムアクセス応答メッセージを受信する時、端末は累積をリセットする。
【００９９】
累積が上位階層から提供されるパラメータＡｃｃｕｍｕｌａｔｉｏｎ−ｅｎａｂｌｅｄに基づいて可能にならないと、
0006750133.tif 000044
を満たす。ここで、
0006750133.tif 000045
は、サブフレームｉ−ＫＰＵＳＣＨにおいてＤＣＩフォーマット０／４と共にＰＤＣＣＨにシグナリングされる。
【０１００】
サービングセルｃのために復号されるＤＣＩフォーマットと共にするＰＤＣＣＨがないか、ＤＲＸ(Ｄｉｓｃｏｎｔｉｎｕｅｄ Ｒｅｃｅｐｔｉｏｎ)が発生するか、又はｉがＴＤＤで上りリンクサブフレームではないサブフレームについて、
0006750133.tif 000046
である。
【０１０１】
0006750133.tif 000047
(累積又は現在の絶対値)という２つのタイプについて、最初値は以下のように設定される。
【０１０２】
サービングセルｃについて、ＰO_UE_ＰＵＳＣＨ,c値が上位階層で変更されるか、又はＰO_UE_ＰＵＳＣＨ,c値が上位階層により受信され、サービングセルｃがセカンダリーセルであると、fc(０)＝０である。一方、サービングセルがプライマリーセルであると、
0006750133.tif 000048
である。
0006750133.tif 000049
はランダムアクセス応答で指示されるＴＰＣ命令であり、
0006750133.tif 000050
は最初から最後のプリアンブルまでの総電力増加(ｒａｍｐ−ｕｐ)に該当し、上位階層から提供される。
【０１０３】
また、本発明に関連して上りリンク電力制御(ＵＬＰＣ)でＴＰＣ命令が累積モード(ａｃｃｕｍｕｌａｔｅｄ ｍｏｄｅ)で動作する時、累積値は関連技術において以下のように動作する。サービングセルｃについて、ＰO_UE_ＰＵＳＣＨ,c(ｊ)値が上位階層で変更される時、またプライマリーセルで端末がランダムアクセス応答メッセージを受信する時、端末は以下の場合に累積をリセットしなければならない。
【０１０４】
以下の数３はＰＵＣＣＨに対する上りリンク電力制御に関する式である。
【０１０５】
【数３】
0006750133.tif 000051
【０１０６】
数３において、ｉはサブスロット／スロット／サブフレームインデックス、ｃはセルインデックスである。端末が２つのアンテナポート上でＰＵＣＣＨを送信するように上位階層により設定されていると、
0006750133.tif 000052
の値は上位階層により端末に提供され、それ以外の場合には０である。以下に説明するパラメータはセルインデックスｃであるサービングセルに関する。
【０１０７】
ここで、
0006750133.tif 000053
は端末の送信可能な最大電力を示し、Ｐ０_ＰＵＣＣＨはセル−特定のパラメータの和で構成されたパラメータであって、基地局が上位階層シグナリングにより知らせる。ＰＬcは端末がｄＢ単位で計算した下りリンク経路損失(又は信号損失)推定値であって、ＰＬc＝ｒｅｆｅｒｅｎｃｅＳｉｇｎａｌＰｏｗｅｒ−ｈｉｇｈｅｒ ｌａｙｅｒ ｆｉｌｔｅｒｅｄ ＲＳＲＰと表現される。ｈ(ｎ)はＰＵＣＣＨフォーマットにより変化する値であり、ｎCQIはチャネル品質情報(ＣＱＩ)に関する情報ビット数であり、ｎHARQはＨＡＲＱビットの数、ｎSRはＳＲのビット数を示す。ΔF_ＰＵＣＣＨ(Ｆ)値はＰＵＣＣＨフォーマット１ａに対して相対的な値であり、ＰＵＣＣＨフォーマット(Ｆ)に対応する値であって、基地局が上位階層シグナリングにより知らせるものである。
【０１０８】
ｇ(ｉ)はインデックスｉであるサブフレームの現在ＰＵＣＣＨ電力制御の調整状態を示し、
0006750133.tif 000054
と定義できる。ここで、
0006750133.tif 000055
は以下の表８又は表９により与えられ、Ｍは１つのＵＬサブフレームに連関するＤＬサブフレームの数である。
【０１０９】
ｈ(nCQI,nHARQ,nSR)はＰＵＣＣＨフォーマット１、１ａ及び１ｂでは０であり、ＰＵＣＣＨフォーマット１ｂにおいて１つ超えるサービングセルが端末に設定されると、
0006750133.tif 000056
であり、それ以外の場合には０である。また、ＰＵＣＣＨフォーマット２、２ａ、２ｂにおいて一般ＣＰである場合は、以下の数４のように示され、ＰＵＣＣＨフォーマット２において拡張ＣＰである場合は、以下の数５のように示される。
【０１１０】
【数４】
0006750133.tif 000057
【０１１１】
【数５】
0006750133.tif 000058
【０１１２】
また、ＰＵＣＣＨフォーマット３については、端末が１１ビット以上のＨＡＲＱ−ＡＣＫ／ＮＡＣＫ又はＳＲ(ｓｃｈｅｄｕｌｉｎｇ Ｒｅｑｕｅｓｔ)を送信する場合は、以下の数６のように示すことができ、そうではない場合には、以下の数７のように示すことができる。
【０１１３】
【数６】
0006750133.tif 000059
【０１１４】
【数７】
0006750133.tif 000060
【０１１５】
Ｐ０_UE_ＰＵＣＣＨ値が上位階層で変更される時は、
0006750133.tif 000061
であり、そうではない時には、
0006750133.tif 000062
である。
0006750133.tif 000063
はランダムアクセス応答で指示されるＴＰＣ命令であり、
0006750133.tif 000064
は上位階層で提供する最初から最後のプリアンブルまでの総電力増加(ｔｏｔａｌ ｐｏｗｅｒ ｒａｍｐ−ｕｐ)に該当する。
【０１１６】
プライマリーセルｃにおける送信最大電力
0006750133.tif 000065
に到達すると、プライマリーセルｃについて正(ｐｏｓｉｔｉｖｅ)のＴＰＣ命令が累積されない。反面、端末が最低電力に到達すると、負(ｎｅｇａｔｉｖｅ)のＴＰＣ命令が累積されない。端末はＰ０_UE_ＰＵＣＣＨ値が上位階層により変更されるか、又はランダムアクセス応答メッセージ(Ｍｓｇ２)を受信すると、累積をリセットする。
【０１１７】
一方、以下の表８及び表９はＤＣＩフォーマットにおけるＴＰＣ命令フィールドにおける
0006750133.tif 000066
値を示す。
【０１１８】
【表８】
0006750133.tif 000067
【０１１９】
【表９】
0006750133.tif 000068
【０１２０】
今後のシステムでは様々な適用分野における要求事項を満たすために、全ての或いは特定の物理チャネルに対してＴＴＩ(の長さ)を様々に設定する状況が考えられる。より特徴的には、シナリオによってｅＮＢとＵＥの間の通信時に遅延を減らすために、ＰＤＣＣＨ／ＰＤＳＣＨ／ＰＵＳＣＨ／ＰＵＣＣＨなどの物理チャネル送信が使用されるＴＴＩを１ｍｓｅｃより小さく設定することができる(以下、これらを各々ｓＰＤＣＣＨ／ｓＰＤＳＣＨ／ｓＰＵＳＣＨ／ｓＰＵＣＣＨとする)。また、単一のＵＥ或いは複数のＵＥについて、単一のサブフレーム(例えば、、１ｍｓｅｃ)内で複数の物理チャネルが存在することができ、各々ＴＴＩ(の長さ)が異なることができる。以下の実施例では、説明の便宜上、ＬＴＥシステムを一例とする。この時、ＴＴＩはＬＴＥシステムにおける一般的なサブフレームサイズの１ｍｓｅｃであり(以下、一般ＴＴＩ)、短いＴＴＩはそれより小さい値をいい、単一／複数のＯＦＤＭ或いはＳＣ−ＦＤＭＡシンボル単位である。説明の便宜上、短いＴＴＩ(即ち、ＴＴＩ長さが既存の１つのサブフレームより小さい場合)を仮定したが、ＴＴＩが１つのサブフレームより長くなる場合、或いは１ｍｓ以上である場合についても本発明の主要特徴を拡張して適用することができる。特徴的には、今後のシステムにおいて、副搬送波間隔(ｓｕｂｃａｒｒｉｅｒ ｓｐａｃｉｎｇ)を増加させる形態で短いＴＴＩが導入される場合にも、本発明の主要特徴を拡張して適用できる。説明の便宜上、ＬＴＥに基づいて発明を説明するが、該当内容はｎｅｗ ＲＡＴ(ｎｅｗ ｒａｄｉｏ ａｃｃｅｓｓ ｔｅｃｈｎｏｌｏｇｙ;ＲＡＴ)などの他の波形／フレーム構造(ｗａｖｅｆｏｒｍ／ｆｒａｍｅ ｓｔｒｕｃｔｕｒｅ)が使用される技術にも適用できる。一般的には、本発明ではｓＴＴＩ(＜１ｍｓｅｃ)、ｌｏｎｇＴＴＩ(＝１ｍｓｅｃ)、ｌｏｎｇｅｒＴＴＩ(＞１ｍｓｅｃ)と仮定する。以下の実施例では、互いに異なるＴＴＩ長さ／ニューマロロジー／プロセシング時間を有する複数のＵＬチャネルについて説明したが、互いに異なるサービス要求事項、遅延、スケジューリングユニットが適用される複数のＵＬ／ＤＬチャネルに拡張して適用することもできる。
【０１２１】
上述した遅延減少、即ち、低い遅延を満たすために、データ送信の最小単位であるＴＴＩを縮めて０.５ｍｓｅｃ以下の短いＴＴＩ(ｓＴＴＩ)を新しくデザインする必要がある。例えば、図５に示すように、ｅＮＢがデータ(ＰＤＣＣＨ及びＰＤＳＣＨ)の送信を開始してからＵＥがＡ／Ｎ(ＡＣＫ／ＮＡＣＫ)の送信を完了するまでのユーザ平面(Ｕｓｅｒ ｐｌａｎｅ;Ｕ−ｐｌａｎｅ)遅延を１ｍｓｅｃに減らすためには、約３ＯＦＤＭシンボルを単位としてｓＴＴＩを構成することができる。
【０１２２】
下りリンクの環境では、かかるｓＴＴＩ内におけるデータの送信／スケジューリングのためのＰＤＣＣＨ(即ち、ｓＰＤＣＣＨ)とｓＴＴＩ内で送信が行われるＰＤＳＣＨ(即ち、ｓＰＤＳＣＨ)が送信されることができ、例えば、図６に示すように、１つのサブフレーム内に複数のｓＴＴＩが互いに異なるＯＦＤＭシンボルを使用して構成されることができる。特徴的には、ｓＴＴＩを構成するＯＦＤＭシンボルは、レガシー制御チャネルが送信されるＯＦＤＭシンボルを除いて構成される。ｓＴＴＩ内におけるｓＰＤＣＣＨとｓＰＤＳＣＨの送信は、互いに異なるＯＦＤＭシンボル領域を使用してＴＤＭ(ｔｉｍｅ ｄｉｖｉｓｉｏｎ ｍｕｌｔｉｐｌｅｘｉｎｇ)された形態で送信され、互いに異なるＰＲＢ領域／周波数リソースを使用してＦＤＭ(ｆｒｅｑｕｅｎｃｙ ｄｉｖｉｓｉｏｎ ｍｕｌｔｉｐｌｅｘｉｎｇ)された形態で送信されることもできる。
【０１２３】
上りリンクの環境でも、上述した下りリンクの環境のように、ｓＴＴＩ内でデータの送信／スケジューリングが可能であり、既存のＴＴＩ基盤のＰＵＣＣＨとＰＵＳＣＨに対応するチャネルをｓＰＵＣＣＨ、ｓＰＵＳＣＨと称する。
【０１２４】
この明細書では、ＬＴＥ／ＬＴＥ−Ａシステムを基準として発明を説明する。既存のＬＴＥ／ＬＴＥ−Ａにおいて、１ｍｓのサブフレームは一般ＣＰを有する場合、１４個のＯＦＤＭシンボルで構成され、これを１ｍｓより短い単位のＴＴＩを構成する場合、１つのサブフレーム内に複数のＴＴＩを構成できる。複数のＴＴＩを構成する方式は、以下の図７に示した実施例のように、２シンボル、３シンボル、４シンボル、７シンボルが１つのＴＴＩを構成できる。図示していないが、１シンボルのＴＴＩを有する場合も考えることができる。１シンボルが１つのＴＴＩ単位になると、２つのＯＦＤＭシンボルにレガシーＰＤＣＣＨを送信するという仮定下で、１２個のＴＴＩが生成される。同様に、図７の(ａ)のように、２シンボルが１つのＴＴＩ単位になると、６つのＴＴＩ、図７の(ｂ)のように、３シンボルが１つのＴＴＩ単位になると、４つのＴＴＩ、図７の(ｃ)のように、４シンボルが１つのＴＴＩ単位になると、３つのＴＴＩを生成できる。勿論、この場合、最初の２つのＯＦＤＭシンボルはレガシーＰＤＣＣＨが送信されたと仮定する。
【０１２５】
図７の(ｄ)に示したように、７つのシンボルが１つのＴＴＩを構成すると、レガシーＰＤＣＣＨを含む７つのシンボル単位の１つのＴＴＩと後の７つのシンボルが１つのＴＴＩを構成できる。この時、ｓＴＴＩを支援する端末の場合、１つのＴＴＩが７シンボルで構成されると、１つのサブフレームの前側に位置するＴＴＩ(１番目のスロット)についてはレガシーＰＤＣＣＨが送信される前側の２つのＯＦＤＭシンボルに対してはパンクチャリングするか、又はレートマッチングされたと仮定し、その後５つのシンボルに自分のデータ及び／又は制御情報が送信されると仮定する。反面、１つのサブフレームの後側に位置するＴＴＩ(２番目のスロット)に対して、端末はパンクチャリングやレートマッチングするリソース領域無しに７つのシンボルに全てデータ及び／又は制御情報を送信できると仮定する。
【０１２６】
また本発明では、２つのＯＦＤＭシンボル(以下、"ＯＳ")で構成されたｓＴＴＩと３つのＯＳで構成されたｓＴＴＩが、図８のように１つのサブフレーム内に混合されて存在するｓＴＴＩ構造も考慮する。このような２−ＯＳ又は３−ＯＳのｓＴＴＩで構成されたｓＴＴＩを簡単に２−シンボルｓＴＴＩ(即ち、２−ＯＳ ｓＴＴＩ)と定義する。また、２−シンボルｓＴＴＩ又は３−シンボルｓＴＴＩを簡単に２−シンボルＴＴＩ又は３−シンボルＴＴＩと称することもでき、これらが全て本発明で前提しているレガシーＴＴＩである１ｍｓ ＴＴＩより短いＴＴＩであることは明らかである。即ち、この明細書において"ＴＴＩ"と称してもｓＴＴＩであることができ、その名称に関係なく、本発明ではレガシーＴＴＩより短い長さのＴＴＩで構成されたシステムにおける通信方式を提案する。
【０１２７】
この明細書において、ニューマロロジーとは、該当無線通信システムに適用されるＴＴＩ長さ、副搬送波間隔などの決定、決められたＴＴＩ長さ又は副搬送波間隔などのパラメータ又はそれらに基づく通信構造又はシステムなどを意味する。
【０１２８】
図８の(ａ)に示した＜３,２,２,２,２,３＞ｓＴＴＩパターンではＰＤＣＣＨのシンボル数によってｓＰＤＣＣＨが送信されることができる。図８の(ｂ)に示した＜２,３,２,２,２,３＞ｓＴＴＩパターンではレガシーＰＤＣＣＨ領域のためにｓＰＤＣＣＨの送信が難しい。
【０１２９】
ｎｅｗ ＲＡＴ(ｎｅｗ ｒａｄｉｏ ｔｅｃｈｎｏｌｏｇｙ；ＮＲ)
【０１３０】
以上、３ＧＰＰ ＬＴＥ(−Ａ)システムの構造、動作又は機能などを説明したが、ＮＲでは３ＧＰＰ ＬＴＥ(−Ａ)における構造、動作又は機能などが少し変形されたり他の方式で具現又は設定されることができる。その一部を簡単に説明する。
【０１３１】
ＮＲでは様々なニューマロロジーを支援する。例えば、副搬送波間隔が１５ＫＨｚだけではなく、その２n倍(ｎ＝１、２、３、４)まで支援する。
【０１３２】
また、正規ＣＰの場合、スロット当たりのＯＦＤＭシンボル(今後、単に"シンボル"という)の数は１４個に固定されるが、１つのサブフレーム内のスロット数が２k個(ｋ＝０、１、２、３、４、５)まで支援され、ただ無線フレームが１０個のサブフレームで構成されることは、既存のＬＴＥシステムと同一である。拡張ＣＰの場合、スロット当たりのシンボル数が１２個に固定され、１つのサブフレームは４つのスロットで構成される。また既存のＬＴＥシステムのように、１つのリソースブロックは周波数ドメインで１２個の連続する副搬送波により定義される。
【０１３３】
また、１スロット内の各シンボルの用途(例えば、下りリンク、上りリンク又は自由自在(ｆｌｅｘｉｂｌｅ))がスロットフォーマットによって定義され、１スロット内で下りリンクシンボルと上りリンクシンボルを全て設定することもできるが、かかる場合を自己完結型(ｓｅｌｆ ｃｏｎｔａｉｎｅｄ)サブフレーム(又はスロット)構造と呼ぶ。
【０１３４】
本発明では異なるＴＴＩ長さを支援する端末のＵＬ送信方案について説明する。
【０１３５】
既存のＬＴＥ標準ではＰＵＣＣＨ／ＰＵＳＣＨ同時送信能力(ｃａｐａｂｉｌｉｔｙ)のある端末の場合、該当能力をネットワークに報告可能になっており、ネットワークは端末にＰＵＣＣＨ／ＰＵＳＣＨ同時送信を設定することができる。この時は、ＰＵＣＣＨのＵＣＩをＰＵＳＣＨにピギーバック(ｐｉｇｇｙｂａｃｋ)する代わりに、ＰＵＣＣＨとＰＵＳＣＨを同時に送信することにより、もっと効率的なＵＬ送信が可能である。
【０１３６】
ｓＴＴＩの導入に伴い、特定時点にＰＵＣＣＨ／ＰＵＳＣＨ同時送信が設定された端末にＰＵＣＣＨとＰＵＳＣＨが同時送信されるようにスケジュールされた状況において、今後ｓＰＵＳＣＨやｓＰＵＣＣＨが来る場合、端末の動作定義が必要である。又は特定時点にＴＴＩ長さ＝ｘであるＰＵＣＣＨとＰＵＳＣＨが同時送信されるようにスケジュールされた状況において、今後ＴＴＩ長さ＝ｙ(ｙ＜ｘ)であるＰＵＣＣＨ或いはＰＵＳＣＨが来る場合、端末の動作定義であることができる。より一般的には、特定のプロセシング時間(又は副搬送波間隔のようなニューマロロジー)を有するＰＵＣＣＨ／ＰＵＳＣＨとは異なるより短い(又はより長い副搬送波間隔)プロセシング時間(又は副搬送波間隔のようなニューマロロジー)を有するＰＵＣＣＨ／ＰＵＳＣＨが来る場合、端末の動作定義であることができる。次は、上記のような状況において、端末動作に対する提案のより具体的な例である。より特徴的には、該当チャネルは１つの端末で送信することもできるが、複数の端末の間で各端末が送信するチャネルについても該当することができる。この場合、他の端末が送信するチャネルの情報は知られていると仮定する。
【０１３７】
また、かかる同時送信は、チャネルの間に基本的に支援されると仮定することができ、この場合にも、同時送信が設定されるか又は設定されないことができる。しかし、もし同時送信が設定されているとしても、１つの端末の搬送波内で以下のような場合には同時送信を行わないことができる。
【０１３８】
−ＯＦＤＭで送信するチャネルとＤＦＴ−ｓ−ＯＦＤＭで送信するチャネルが部分的に又は完全に重量(ｐａｒｔｉａｌｌｙ ｏｒ ｆｕｌｌｙ ｏｖｅｒｌａｐ)した場合
【０１３９】
−ニューマロロジーが他のチャネルが部分的に又は完全に重量した場合(端末が１つ以上のニューマロロジーを支援しないと仮定する場合)
【０１４０】
−ＰＲＡＣＨ(ｐｈｙｓｉｃａｌ ｒａｎｄｏｍ ａｃｃｅｓｓ ｃｈａｎｎｅｌ)の送信時、他のチャネルが部分的に又は完全に重畳した場合
【０１４１】
−サイドリンク(ｓｉｄｅｌｉｎｋ)の送信時、１つの搬送波でＰＵＳＣＨ／ＰＵＣＣＨ／ＳＲＳを送信時
【０１４２】
上記同時送信されない状況を除いて、同時送信が設定された場合に端末電力制限が発生ないと、同時送信すると仮定する。もし電力−制限(ｐｏｗｅｒ−ｌｉｍｉｔｅｄ)が発生すると、同時送信の制限が発生することができる。電力−制限は、端末の最大電力より要求した電力量が多い場合や、端末の電力増幅(ａｍｐｌｉｆｉｅｒ；ＡＭＰ)の構造において過渡区間(ｔｒａｎｓｉｅｎｔ ｐｅｒｉｏｄ)による復調性能の劣化が予想される場合などを含む。以下、かかる電力−制限が発生する場合を“電力−制限ケース”と呼ぶ。
【０１４３】
以下、搬送波併合(ｃａｒｒｉｅｒ ａｇｇｒｅｇａｔｉｏｎ"；ＣＡ)された状況において、複数のＴＴＩ長さを支援できる場合、端末の同時送信に対する処理について説明する。
【０１４４】
搬送波併合(ｃａｒｒｉｅｒ ａｇｇｒｅｇａｔｉｏｎ；ＣＡ)状況において、異なるＴＴＩ長さ及び／又は異なるニューマロロジー及び／又は異なるプロセシング時間を有する複数のＵＬチャネル組み合わせに対する同時送信は、ＵＬ電力制御を考慮して決定する必要がある。従って、ＣＡ状況において異なるＴＴＩ長さ及び／又は異なるニューマロロジー及び／又は異なるプロセシング時間を有する特定の複数のＵＬチャネル組み合わせ(例えば、ＰＵＣＣＨ／ＰＵＳＣＨ、ｓＰＵＣＣＨ／ｓＰＵＳＣＨ、ｓＰＵＣＣＨ／ＰＵＳＣＨ、ＰＵＣＣＨ／ｓＰＵＳＣＨ、ＰＵＳＣＨ／ｓＰＵＳＣＨ、ＰＵＣＣＨ／ｓＰＵＣＣＨ或いは互いに異なるＴＴＩ長さ(又は互いに異なるニューマロロジー／プロセシング時間)を有するＰＵＣＣＨ／ＰＵＳＣＨ或いは互いに異なるＴＴＩ長さ(又は互いに異なるニューマロロジー／プロセシング時間)を有するＰＵＳＣＨ／ＰＵＳＣＨ或いは互いに異なるＴＴＩ長さ(又は互いに異なるニューマロロジー／プロセシング時間)を有するＰＵＣＣＨ／ＰＵＣＣＨ)に対する同時送信を許容するか否かを以下のように決定することができる。この規則は、特徴的には、特定のＰＵＣＣＨグループ内の複数のセルで送信される複数のＵＬチャネル組み合わせの同時送信有無及び／又は電力割り当てを決定する時に適用できる。
【０１４５】
Ａｌｔ １：電力−制限ケース(ｐｏｗｅｒ−ｌｉｍｉｔｅｄ ｃａｓｅ)である場合、異なるＴＴＩ長さ及び／又は異なるニューマロロジー及び／又は異なるプロセシング時間を有する複数のＵＬチャネル組み合わせに対して、単一−搬送波状況における複数のＵＬチャネル組み合わせに対するハンドリングに従うように規定することができる。
【０１４６】
ここで、一例として、単一−搬送波状況における複数のＵＬチャネル組み合わせに対するハンドリングは、常に特定のＵＬチャネル(例えば、より長いＴＴＩ長さを有する及び／又はより短い副搬送波間隔を有するチャネルを含むより低い優先順位のチャネル)に対して、ドロップ／中断(ｄｒｏｐｐｉｎｇ／ｓｔｏｐｐｉｎｇ)及び／又はパンクチャリング(ｐｕｎｃｔｕｒｉｎｇ)及び／又は電力減少(ｐｏｗｅｒ ｒｅｄｕｃｔｉｏｎ)などを行うことを含む。即ち、電力−制限ケースでは、ネットワークから同時送信が設定(即ち、許容)されても、さらに上記複数のＵＬチャネル組み合わせに対するハンドリングを行うことができる。
【０１４７】
電力−制限ケースではない場合には、ネットワークの同時送信の設定有無によって同時送信有無を決定するように規定することができる。
【０１４８】
特徴的には、同時送信が許容された場合、特定のＵＬチャネル(例えば、より短いＴＴＩ長さを有する及び／又はより長い副搬送波間隔を有するチャネルを含むより高い優先順位チャネル)に対して保証された電力(ｇｕａｒａｎｔｅｅｄ ｐｏｗｅｒ)を設定し、さらに他のチャネル(例えば、より長いＴＴＩ長さを有する及び／又はより短い副搬送波間隔を有するチャネルを含むより低い優先順位)の電力割り当て時にはできる限りそれを除いた残りの電力のみが割り当てられるように規定することができる。
【０１４９】
Ａｌｔ ２：異なるＴＴＩ長さ及び／又は異なるニューマロロジー及び／又は異なるプロセシング時間を有する複数のＵＬチャネル組み合わせに対する同時送信設定に従うが、同時送信が許容されながら電力−制限されたケースである場合に限って、特定のＵＬチャネル(例えば、より短いＴＴＩ長さを有する及び／又はより長い副搬送波間隔を有するチャネルを含むより高い優先順位チャネル及び／又はより遅く送信が開始されるチャネル)に対して電力スケーリング(減少)を行うように規定することができる。
【０１５０】
Ａｌｔ ３：電力−制限の有無に関係なく、単一−搬送波状況における複数のＵＬチャネル組み合わせに対するハンドリング(例えば、ドロップ／中断(ｄｒｏｐｐｉｎｇ／ｓｔｏｐｐｉｎｇ)及び／又はパンクチャリング(ｐｕｎｃｔｕｒｉｎｇ)及び／又は電力減少(ｐｏｗｅｒ ｒｅｄｕｃｔｉｏｎ)など)に従うように規定することができる。
【０１５１】
Ａｌｔ ４：電力−制限ケースである場合、ＴＴＩ長さ／プロセシング時間／副搬送波間隔を考慮して優先順位の低い順序のチャネルから順に電力減少及び／又はドロップされるように規定することができる。
【０１５２】
より特徴的には、電力−制限ケースである場合、より長いＴＴＩ長さ及び／又はより長いプロセシング時間及び／又はより短い副搬送波間隔を有するチャネルから順に電力減少及び／又はドロップされるように、その後、ＴＴＩ長さ／プロセシング時間／副搬送波間隔が同一である場合、チャネル類型(例えば、データチャネル、制御チャネル、ランダム接続チャネル、非周期的ＳＲＳ、周期的ＳＲＳなど)を考慮して優先順位の低いチャネルから順に電力減少及び／又はドロップされるように規定することができる。又はＴＴＩ長さ／プロセシング時間／副搬送波間隔及び／又はチャネル類型及び／又はＵＣＩを伴うか否か及び／又はＤＭＲＳを伴うか否か(一例として、ＤＭＲＳが含まれたチャネルの高い優先順位を有することができる)及び／又はＵＣＩ類型(例えば、ＳＲ、ＨＡＲＱ−ＡＣＫ、ＣＳＩ、ＳＲＳなど)及び／又はセルインデックスなどを考慮して優先順位の低いチャネルから順に電力減少及び／又はドロップされるように規定することができる。
【０１５３】
一例として、ＴＴＩ長さ／プロセシング時間／副搬送波間隔＞チャネル類型＞ＵＣＩを伴うか否かを順に考慮して優先順位を決定することができる。即ち、ＴＴＩ長さ／プロセシング時間／副搬送波間隔がチャネル類型より高い優先順位を有し、チャネル類型はＵＣＩを伴うか否かより高い優先順位を有する。
【０１５４】
他の一例として、ＴＴＩ長さ／プロセシング時間／副搬送波間隔＞ＵＣＩを伴うか否か＞チャネル類型を順に考慮して優先順位を決定することができる。又はＵＣＩを伴うか否か＞チャネル類型＞ＴＴＩ長さ／プロセシング時間／副搬送波間隔を順に考慮して優先順位を決定することができる。特徴的には、この電力減少及び／又はドロップは、非−電力制限の条件が満たされるまで行われる。
【０１５５】
Ａｌｔ ５：まずＴＴＩ長さ／ニューマロロジー／プロセシング時間ごとに優先順位の高いチャネルを選択し、その後、残りのチャネルのうち、互いに異なるＴＴＩ長さ／ニューマロロジー／プロセシング時間の間に優先順位の高いチャネルを選択するように規定することができる。一例として、ｓＰＵＣＣＨ、ｓＰＵＳＣＨ、ＰＵＣＣＨ、ＰＵＳＣＨの送信タイミングが重畳(ｏｖｅｒｌａｐ)又は衝突(ｃｏｌｌｉｄｅ)する場合、ｓＰＵＳＣＨとｓＰＵＣＣＨの優先順位、ＰＵＳＣＨとＰＵＣＣＨの優先順位を考慮して、各々ｓＰＵＣＣＨとＰＵＣＣＨはドロップされ、ｓＰＵＳＣＨとＰＵＳＣＨは上記例示した方案のうちの１つを使用して同時送信有無を決定することができる。
【０１５６】
Ａｌｔ ６：まずＣＣごとに優先順位の高いチャネルを選択し、その後、残りのチャネルのうち、互いに異なるＴＴＩ長さ／ニューマロロジー／プロセシング時間の間に優先順位の高いチャネルを選択するように規定することができる。一例として、ｓＰＵＣＣＨ(ＣＣ１)、ｓＰＵＳＣＨ(ＣＣ２)、ＰＵＣＣＨ(ＣＣ１)、ＰＵＳＣＨ(ＣＣ２)の送信タイミングが重畳又は衝突する場合、まずＣＣ１のｓＰＵＣＣＨとＰＵＣＣＨの間の優先順位を考慮してＰＵＣＣＨはドロップされ、ＣＣ２のｓＰＵＳＣＨとＰＵＳＣＨの間の優先順位を考慮してＰＵＳＣＨはドロップされ、その後、残りのチャネルであるｓＰＵＣＣＨとｓＰＵＳＣＨは上記例示した方案のうちの１つを使用して同時送信有無を決定することができる。
【０１５７】
また、互いに異なるＰＵＣＣＨグループに属する複数のチャネルが異なるＴＴＩ長さ／ニューマロロジー／プロセシング時間を有しながら、送信タイミングが重畳又は衝突する場合、より低い優先順位を有するチャネルがドロップされるように規定することができる。この時、優先順位は、ＰＵＣＣＨグループ(例えば、プライマリーＰＵＣＣＨグループがセカンダリＰＵＣＣＨグループに比べて高い優先順位を有することができる)及び／又はＴＴＩ長さ／プロセシング時間／副搬送波間隔及び／又はチャネル類型及び／又はＵＣＩを伴うか否か及び／又はＤＭＲＳを伴うか否か(一例として、ＤＭＲＳが含まれたチャネルが高い優先順位を有することができる)及び／又はＵＣＩ類型(例えば、ＳＲ、ＨＡＲＱ−ＡＣＫ、ＣＳＩ、ＳＲＳなど)及び／又はセルインデックスなどを考慮して決定される。これは、ＰＵＣＣＨグループに最小保証された電力を設定しておいた場合、より早く送信が開始されるチャネルの電力割り当てにより多い電力を割り当てたいができない場合があり得るが、かかる準最適(ｓｕｂ−ｏｐｔｉｍｕｍ)電力割り当てが望ましくないと判断される場合に使用できる。特徴的には、ＰＵＣＣＨグループにわたった衝突ケースにおけるチャネルドロップは、上位階層信号或いはＤＣＩにより端末に可能となるか否かを設定することができる。又はチャネルドロップ動作とＰＣＭ２保証電力基盤の電力制御モードの間に設定することもできる。
【０１５８】
特徴的には、ＰＵＣＣＨグループにわたった衝突ケースにおけるチャネルドロップは、ＵＣＩのないチャネルのみに限ってドロップされるように規定することができる。もし特定のＰＵＣＣＨグループ内のＵＣＩを含まないＰＵＳＣＨ及び／又はＰＵＣＣＨ及び／又はＳＲＳによって、他のＰＵＣＣＨグループのＵＣＩを含む特定チャネルの(より特徴的にはＵＣＩを含んだＴＴＩ長さがより短いチャネル)ドロップが求められる場合、“ＵＣ”Ｉを含まないＰＵＳＣＨ及び／又はＰＵＣＣＨ及び／又はＳＲＳ”をドロップさせ、ＵＣＩを含む特定チャネルに電力を集中させることもできる。さらに他の方案として、ＰＵＣＣＨグループにわたった衝突によりドロップされるチャネルのＵＣＩを他のＰＵＣＣＨグループのチャネルにピギーバックして送信されるように規定することもできる。言い換えれば、ＰＵＣＣＨグループにわたった衝突ケースにおいてドロップを行う時、ＰＵＣＣＨグループの間のＵＣＩピギーバックを許容するように規定することができる。これは、ドロップによるＵＣＩ消失を最小化するためのものである。
【０１５９】
また、互いに異なるニューマロロジー(例えば、ＴＴＩ長さ、副搬送波間隔など)を有する複数のＵＬチャネルに対する送信タイミングが時間上重畳又は衝突する時、特定のニューマロロジーを有するＵＬチャネル(例えば、より長いＴＴＩＵＬチャネル)の送信を中断／ドロップしながら該当チャネルのＵＣＩをさらに他のニューマロロジーを有するＵＬチャネル(例えば、より短いＴＴＩＵＬチャネル)にピギーバックする方案が考えられる。
【０１６０】
特徴的には、より短いＴＴＩ ＰＵＣＣＨに、より長いＴＴＩチャネルのＵＣＩをピギーバックする場合、該当ＵＣＩのペイロードサイズ及び／又はより短いＴＴＩ ＰＵＣＣＨのフォーマット(或いはコンテナサイズ)を考慮して、特定のＵＣＩに対してピギーバックするか否かを決定するように規定することができる。一例として、ＰＵＳＣＨとｓＰＵＣＣＨの衝突時、ＰＵＳＣＨのＣＳＩを小さいペイロードのｓＰＵＣＣＨにはピギーバックせず、大きいペイロードのｓＰＵＣＣＨにはピギーバックするように規定することができる。より特徴的な一例としては、ＰＵＳＣＨとｓＰＵＣＣＨの衝突時、ＰＵＳＣＨのＣＳＩをピギーバックする場合、ｘビット以下のペイロードのｓＰＵＣＣＨにはピギーバックせず、ｘビットを超えｙビット以下のペイロードのｓＰＵＣＣＨにはＣＱＩのみをピギーバックし、ｙビットを超えるペイロードのｓＰＵＣＣＨにはＣＱＩ、ＲＩをピギーバックするように規定することができる。
【０１６１】
また、互いに異なるＴＴＩ長さ及び／又は副搬送波間隔を有する複数のＵＬチャネルに対する送信タイミングが時間上重畳又は衝突される時、特定のＴＴＩ長さ及び／又は副搬送波間隔を有するＵＬチャネル(例えば、より長いＴＴＩＵＬチャネル又はより小さい副搬送波間隔チャネル)の送信を中断／ドロップしながら、該当チャネルのＵＣＩをさらに他のＴＴＩ長さ及び／又は副搬送波間隔を有するＵＬチャネル(例えば、より短いＴＴＩＵＬチャネル又はより大きい副搬送波間隔チャネル)にピギーバックする方案が考慮される。
【０１６２】
この時、上記中断／ドロップされるチャネルのＵＣＩをさらに他のチャネルにピギーバックして送信する動作が可能であるか否かについて、端末が性能シグナリングにより報告することができる。また中断／ドロップされるチャネルのＵＣＩをさらに他のチャネルにピギーバックして送信する動作をするか否かを、ネットワークが端末に設定することができる。端末は、設定が可能(ｅｎａｂｌｅ)となる場合、ピギーバック動作を行うように規定することができる。上記性能シグナリング及び／又はネットワークの設定は、最終送信される(可能有無によってＵＣＩがピギーバックされる対象)チャネルのＴＴＩ長さ及び／又はニューマロロジーによって独立して異なるように報告／設定できる。又は、sＴＴＩ長さ組み合わせ及び／又はプロセシング時間によって独立して異なるように報告／設定することもできる。
【０１６３】
特徴的には、上記性能シグナリング及び／又はネットワークの設定は、ピギーバックされるＵＣＩの類型によって異なるように個々に報告／設定できる。又は、上記性能シグナリング及び／又はネットワークの設定は、ピギーバックされるＵＣＩの組み合わせによって異なるように個々に報告／設定されるか、又はＵＣＩの組み合わせのうち、可能な(又は不可能な)組み合わせについて報告／設定されることができる。一例として、Ａ／Ｎのみ(ｏｎｌｙ)、ＣＳＩのみはピギーバックが可能であるが、Ａ／Ｎ＋ＣＳＩはピギーバックが不可能である場合、端末はピギーバック可能なＵＣＩ類型についてネットワークに報告することができ、ネットワークは、それによりドロップ／中断されたチャネルのＵＣＩのうち、どのＵＣＩを受信できるかを把握することができる。
【０１６４】
上記性能シグナリング及び／又はネットワークの設定は、ピギーバックされるＵＣＩのペイロードサイズ(又はＨＡＲＱ−ＡＣＫのビット数又は全体コードワード数又は全体セル数又はＣＳＩプロセス数又はこれらの組み合わせ)によって異なるように個々に報告／設定できる。
【０１６５】
さらに他の方案としては、上記中断／ドロップされるチャネルのＵＣＩをさらに他のチャネルにピギーバックして送信する動作を可能にする最小のプロセシング時間について端末が性能シグナリングを報告することができる。また中断／ドロップされるチャネルのＵＣＩをさらに他のチャネルにピギーバックして送信する動作を行うか否かが、(特に設定せず)端末に設定されたｓＴＴＩ長さ組み合わせ及び／又はニューマロロジー及び／又はＴＴＩ長さ及び／又はプロセシング時間によって決定されるように規定することもできる。
【０１６６】
またＣＡ状況において、異なるＴＴＩ長さを有する複数のＵＬチャネルが互いに異なる搬送波で同時送信できるか否かは、端末のＲＦ(ｒａｄｉｏ ｆｒｅｑｕｅｎｃｙ)構造によって決定される。一例として、互いに異なるＴＴＩ長さのチャネルに対する送信が１つのＲＦチェーン(ｃｈａｉｎ)を共有する場合には、より長いＴＴＩ長さのチャネルの電力を該当ＴＴＩ長さの間に維持することが難しいので、位相連続性(ｐｈａｓｅ ｃｏｎｔｉｎｕｉｔｙ)が維持されないことができ、これは該当チャネルの性能劣化を起こすことができる。従って、かかる状況における同時送信は好ましくない。反面、互いに異なるＴＴＩ長さのチャネルに対する送信が各々異なるＲＦチェーンにより行われる場合は、かかる問題無しに同時送信を支援することができる。
【０１６７】
特徴的には、端末がＣＡ状況で異なるＴＴＩ長さ及び／又は異なるニューマロロジー及び／又は異なるプロセシング時間を有する複数のＵＬチャネル組み合わせに対する同時送信能力がない場合は(この時、同時送信能力は帯域ごと及び／又は帯域組み合わせごとに定義することもできる)、より長いＴＴＩ長さ及び／又はより長いプロセシング時間及び／又はより短い副搬送波間隔を有するチャネルは、全てドロップ／中断されるように規定することができる。
【０１６８】
また、上記のような場合、或いは同時送信は可能であるが、電力−制限によって一部チャネルをドロップ／中断させる場合、ドロップ／中断されるチャネルで送信されるＵＣＩをドロップ／中断されないチャネルに移して送信する方案が考えられるが、具体的にはドロップ／中断されないチャネルのうち、どのチャネルを選択してＵＣＩを送信するかについて、以下のような方案を提示できる。
【０１６９】
オプション１：ドロップ／中断されるチャネルと同じＴＴＩ長さ及び／又は同じニューマロロジー及び／又は同じプロセシング時間を有するチャネルにより優先してドロップ／中断されるチャネルのＵＣＩが送信されることができる。これは、ドロップ／中断されないチャネルのうち、異なるＴＴＩ長さを有するチャネルの優先順位が同じＴＴＩ長さを有するチャネルに比べて高いと予想されるので、高い優先順位のチャネルにＵＣＩをピギーバックすることにより起こる性能低下を防止するためのものである。かかる意味で、ドロップ／中断されないチャネルのうち、ＴＴＩ長さが長いチャネルに優先してドロップ／中断されるチャネルのＵＣＩが送信されることもできる。
【０１７０】
オプション２：ドロップ／中断されないチャネルのうち、ＴＴＩ長さ／プロセシング時間／副搬送波間隔及び／又はチャネル類型及び／又はＵＣＩを伴うか否か及び／又はＤＭＲＳを伴うか否か(一例として、ＤＭＲＳが含まれたチャネルが高い優先順位を有することができる)及び／又はＵＣＩ類型(例えば、ＳＲ、ＨＡＲＱ−ＡＣＫ、ＣＳＩ、ＳＲＳなど)及び／又はセルインデックスなどを考慮して、優先順位の高いチャネルにＵＣＩがピギーバックされることができる。一例として、ドロップ／中断されないチャネルのうち、セルインデックスの低いチャネルに優先してドロップ／中断されるチャネルのＵＣＩがピギーバックされることができる。
【０１７１】
オプション３：ドロップ／中断されないチャネルのうち、ＴＴＩ長さ／プロセシング時間／副搬送波間隔及び／又はチャネル類型及び／又はＵＣＩを伴うか否か及び／又はＤＭＲＳを伴うか否か(一例として、ＤＭＲＳが含まれたチャネルが高い優先順位を有することができる)及び／又はＵＣＩ類型(例えば、ＳＲ、ＨＡＲＱ−ＡＣＫ、ＣＳＩ、ＳＲＳなど)及び／又はセルインデックスなどを考慮して、最も優先順位の高いチャネルにＵＣＩがピギーバックされることができる。特徴的には、互いに異なるＰＵＣＣＨ／セルグループの間のＵＣＩピギーバックは許容せず、残りの因子(ｆａｃｔｏｒ)のみを(ＴＴＩ長さ／プロセシング時間／副搬送波間隔及び／又はチャネル類型及び／又はＵＣＩを伴うか否か及び／又はＤＭＲＳを伴うか否か及び／又はＵＣＩ類型及び／又はセルインデックス)考慮したもののうち、最高優先順位のチャネルにドロップ／中断されるチャネルのＵＣＩがピギーバックされることである。言い換えれば、ドロップ／中断されたチャネルと同じＰＵＣＣＨ／セルグループ内のチャネルのうち、最高優先順位のチャネルに中断／ドロップされるチャネルのＵＣＩがピギーバックされることである。
【０１７２】
上述した提案方式に関する一例も本発明の具現方法の１つとして含まれることができ、一種の提案方式として見なされることができる。上記提案方式は独立して具現するか、又は一部提案方式の組み合わせ(又は併合)の形態で具現することができる。上記提案方法の適用有無に関する情報(又は提案方法の規則に関する情報)は、基地局が端末に予め定義されたシグナル(例えば、物理階層シグナル或いは上位階層シグナル)により知らせるように規定できる。
【０１７３】
図９は、本発明の実施例を実行する送信装置１０及び受信装置２０の構成要素を示すブロック図である。送信装置１０及び受信装置２０は、情報及び／又はデータ、信号、メッセージなどを運ぶ無線信号を送信又は受信できる送信機／受信機１３，２３と、無線通信システム内の通信と関連した各種情報を記憶するメモリ１２，２２と、送信機／受信機１３，２３及びメモリ１２，２２などの構成要素と動作的に接続してこれらの構成要素を制御し、当該装置が前述の本発明の実施例の少なくとも一つを実行するようにメモリ１２，２２及び／又は送信機／受信機１３，２３を制御するように構成されたプロセッサー１１，２１をそれぞれ備える。
【０１７４】
メモリ１２，２２は、プロセッサー１１，２１の処理及び制御のためのプログラムを格納することができ、入／出力される情報を仮記憶することができる。メモリ１２，２２がバッファーとして活用されてもよい。プロセッサー１１，２１は、一般に、送信装置又は受信装置内の各種モジュールの動作全般を制御する。特に、プロセッサー１１，２１は、本発明を実行するための各種制御機能を果たすことができる。プロセッサー１１，２１をコントローラ(ｃｏｎｔｒｏｌｌｅｒ)、マイクロコントローラ(ｍｉｃｒｏｃｏｎｔｒｏｌｌｅｒ)、マイクロプロセッサー(ｍｉｃｒｏｐｒｏｃｅｓｓｏｒ)、マイクロコンピュータ(ｍｉｃｒｏｃｏｍｐｕｔｅｒ)などと呼ぶこともできる。プロセッサー１１，２１は、ハードウェア(ｈａｒｄｗａｒｅ)又はファームウェア(ｆｉｒｍｗａｒｅ)、ソフトウェア、又はこれらの結合によって具現されてもよい。ハードウェアを用いて本発明を具現する場合は、本発明を実行するように構成されたＡＳＩＣｓ(ａｐｐｌｉｃａｔｉｏｎ ｓｐｅｃｉｆｉｃ ｉｎｔｅｇｒａｔｅｄ ｃｉｒｃｕｉｔｓ)、ＤＳＰｓ(ｄｉｇｉｔａｌ ｓｉｇｎａｌ ｐｒｏｃｅｓｓｏｒｓ)、ＤＳＰＤｓ(ｄｉｇｉｔａｌ ｓｉｇｎａｌ ｐｒｏｃｅｓｓｉｎｇ ｄｅｖｉｃｅｓ)、ＰＬＤｓ(ｐｒｏｇｒａｍｍａｂｌｅ ｌｏｇｉｃ ｄｅｖｉｃｅｓ)、ＦＰＧＡｓ(ｆｉｅｌｄ ｐｒｏｇｒａｍｍａｂｌｅ ｇａｔｅ ａｒｒａｙｓ)などがプロセッサー１１，２１に設けられてもよい。一方、ファームウェアやソフトウェアを用いて本発明を具現する場合は、本発明の機能又は動作を実行するモジュール、手順又は関数などを含むようにファームウェアやソフトウェアが構成されてもよい。本発明を実行できるように構成されたファームウェア又はソフトウェアは、プロセッサー１１，２１内に設けられたり、メモリ１２，２２に格納されてプロセッサー１１，２１によって駆動されてもよい。
【０１７５】
送信装置１０におけるプロセッサー１１は、プロセッサー１１又はプロセッサー１１に接続しているスケジューラからスケジューリングされて外部に送信される信号及び／又はデータに対して所定の符号化(ｃｏｄｉｎｇ)及び変調(ｍｏｄｕｌａｔｉｏｎ)を行った後、送信機／受信機１３に送信する。例えば、プロセッサー１１は、送信しようとするデータ列を逆多重化、チャンネル符号化、スクランブリング、及び変調の過程などを経てＫ個のレイヤに変換する。符号化されたデータ列はコードワードとも呼ばれ、ＭＡＣ層が提供するデータブロックである伝送ブロックと等価である。一伝送ブロック(ｔｒａｎｓｐｏｒｔ ｂｌｏｃｋ，ＴＢ)は一コードワードに符号化され、各コードワードは一つ以上のレイヤの形態で受信装置に送信される。周波数上り変換のために送信機／受信機１３はオシレータ(ｏｓｃｉｌｌａｔｏｒ)を含むことができる。送信機／受信機１３はＮｔ個(Ｎｔは１以上の正の整数)の送信アンテナを含むことができる。
【０１７６】
受信装置２０の信号処理過程は、送信装置１０の信号処理過程の逆となる。プロセッサー２１の制御下に、受信装置２０の送信機／受信機２３は送信装置１０から送信された無線信号を受信する。送信機／受信機２３は、Ｎｒ個の受信アンテナを含むことができ、送信機／受信機２３は受信アンテナから受信した信号のそれぞれを周波数下り変換して(ｆｒｅｑｕｅｎｃｙ ｄｏｗｎ−ｃｏｎｖｅｒｔ)基底帯域信号に復元する。送信機／受信機２３は、周波数下り変換のためにオシレータを含むことができる。プロセッサー２１は、受信アンテナから受信した無線信号に対する復号(ｄｅｃｏｄｉｎｇ)及び復調(ｄｅｍｏｄｕｌａｔｉｏｎ)を行い、送信装置１０が本来送信しようとしたデータに復元することができる。
【０１７７】
送信機／受信機１３，２３は一つ以上のアンテナを具備する。アンテナは、プロセッサー１１，２１の制御下に、本発明の一実施例によって、送信機／受信機１３，２３で処理された信号を外部に送信したり、外部から無線信号を受信して送信機／受信機１３，２３に伝達する機能を果たす。アンテナはアンテナポートと呼ばれることもある。各アンテナは一つの物理アンテナに該当したり、２以上の物理アンテナ要素の組み合わせによって構成されてもよい。各アンテナから送信された信号は受信装置２０によってそれ以上分解されることはない。当該アンテナに対応して送信された参照信号(ｒｅｆｅｒｅｎｃｅ ｓｉｇｎａｌ，ＲＳ)は受信装置２０の観点で見たアンテナを定義し、チャンネルが一物理アンテナからの単一(ｓｉｎｇｌｅ)無線チャンネルであるか、或いは当該アンテナを含む複数の物理アンテナ要素からの合成(ｃｏｍｐｏｓｉｔｅ)チャンネルであるかに関係なく、受信装置２０にとって当該アンテナに対するチャンネル推定を可能にする。すなわち、アンテナは、該アンテナ上のシンボルを伝達するチャンネルが同一アンテナ上の他のシンボルが伝達される前記チャンネルから導出されるように定義される。複数のアンテナを用いてデータを送受信する多重入出力(Ｍｕｌｔｉ−Ｉｎｐｕｔ Ｍｕｌｔｉ−Ｏｕｔｐｕｔ、ＭＩＭＯ)機能を支援する送信機／受信機の場合は２個以上のアンテナに接続されてもよい。
【０１７８】
本発明の実施例において、端末又はＵＥは上りリンクでは送信装置１０として動作し、下りリンクでは受信装置２０として動作する。本発明の実施例において、基地局又はｅＮＢは上りリンクでは受信装置２０として動作し、下りリンクでは送信装置１０として動作する。
【０１７９】
送信装置及び／又は受信装置は、上述した本発明の実施例のうちの少なくとも１つ又は２つ以上の実施例の組み合わせを実行することができる。
【０１８０】
かかる提案の組み合わせの１つとして、無線通信システムにおいて上りリンク信号を送信する端末であって、端末は受信機及び送信機;及び受信機及び送信機を制御するプロセッサーを含み、該プロセッサーは、複数のサービングセル上で同時送信される、互いに異なる長さの送信時間間隔(ｔｒａｎｓｍｉｓｓｉｏｎ ｔｉｍｅ ｉｎｔｅｒｖａｌ；ＴＴＩ)の複数の上りリンクチャネルの送信電力が端末の最大電力を超えるか否かを判断し、及び複数の上りリンクチャネルの送信電力が端末の最大電力を超えると、複数の上りリンクチャネルのうち、所定の優先順位規則に従って決定された上りリンクチャネルを除いた、上りリンクチャネルを送信する。
【０１８１】
さらに又はその代わりに、複数の上りリンクチャネルの送信電力が端末の最大電力を超えない時まで、複数の上りリンクチャネルのうち、低い優先順位の上りリンクチャネルから順にドロップする。
【０１８２】
さらに又はその代わりに、所定の優先順位規則は、ＴＴＩ長さ、チャネル類型、上りリンク制御情報を含むか否か及びＤＭＲＳ(ｄｅｍｏｄｕｌａｔｉｏｎ ｒｅｆｅｒｅｎｃｅ ｓｉｇｎａｌ)を含むか否かを考慮して定義される。
【０１８３】
さらに又はその代わりに、所定の優先順位規則は、さらにセルインデックスを考慮して定義される。
【０１８４】
さらに又はその代わりに、所定の優先順位規則は、さらにセル又はＰＵＣＣＨ(ｐｈｙｓｉｃａｌ ｕｐｌｉｎｋ ｃｏｎｔｒｏｌ Ｃｈａｎｎｅｌ)グループを考慮して定義される。
【０１８５】
さらに又はその代わりに、所定の優先順位規則に従って決定された除外される上りリンクチャネルの上り制御情報は、除外される上りリンクチャネルが属するセルグループ又はＰＵＣＣＨ(ｐｈｙｓｉｃａｌ ｕｐｌｉｎｋ ｃｏｎｔｒｏｌ Ｃｈａｎｎｅｌ)グループの最高優先順位の上りリンクチャネルで送信される。
【０１８６】
さらに又はその代わりに、所定の優先順位規則は、ＴＴＩ長さ、チャネル類型、上りリンク制御情報を含むか否か及びＤＭＲＳ(ｄｅｍｏｄｕｌａｔｉｏｎ ｒｅｆｅｒｅｎｃｅ ｓｉｇｎａｌ)を含むか否か、セルインデックスを考慮して定義される。
【０１８７】
上述したように開示された本発明の好適な実施例に関する詳細な説明は、当業者が本発明を具現して実施し得るように提供された。以上では本発明の好適な実施例を参照して説明したが、当該技術の分野における熟練した者には、添付の特許請求の範囲に記載された本発明を様々に修正及び変更できるということが理解できる。したがって、本発明はここに示した実施の形態に制限されるものではなく、ここに開示された原理及び新規な特徴と一致する最も広い範囲を付与するためのものである
【産業上の利用可能性】
【０１８８】
本発明は端末、リレー、基地局などのような無線通信装置に利用可能である。
【図１】
0006750133.tif 000069
【図２】
0006750133.tif 000070
【図３】
0006750133.tif 000071
【図４】
0006750133.tif 000072
【図５】
0006750133.tif 000073
【図６】
0006750133.tif 000074
【図７】
0006750133.tif 000075
【図８】
0006750133.tif 000076
【図９】
0006750133.tif 000077